(57)【特許請求の範囲】
【請求項１】
走行手段と、
この走行手段の上部に設けたフレームと、
このフレームの一方側に設けた被破砕物の受け入れ手段と、
この受け入れ手段で受け入れた被破砕物を破砕処理する破砕装置と、
この破砕装置に前記受入手段で受け入れた被破砕物を供給するフィーダと、
前記フレームの他方側に設けられ、エンジン及びこのエンジンにより駆動される油圧ポンプを内蔵したパワーユニットと、
前記油圧ポンプから吐出される圧油により駆動される前記破砕装置及びフィーダの各駆動装置の駆動速度と前記エンジンの駆動速度を含む被破砕物の種類、粒度、目標生産量のうちの少なくとも１つに応じた複数の運転条件を記憶した記憶部と、
前記複数の運転条件の一つ、及び前記各駆動装置及びエンジンの駆動速度の任意操作のいずれかを選択する選択手段と、
この選択手段により前記複数の運転条件のいずれかが選択された場合、選択された運転条件を前記記憶部から読み出し、読み出した運転条件を基に前記駆動装置及びエンジンの駆動速度を制御する制御手段と
を備えたことを特徴とする自走式破砕機。
【請求項２】
走行手段と、
この走行手段の上部に設けたフレームと、
このフレームの一方側に設けた被破砕物の受け入れ手段と、
この受け入れ手段で受け入れた被破砕物を破砕処理する破砕装置と、
前記破砕装置の駆動装置を含む被駆動装置の駆動速度を含む被破砕物の種類、粒度、目標生産量のうちの少なくとも１つに応じた複数の運転条件を記憶した記憶部と、
前記複数の運転条件の一つ、及び前記駆動装置の駆動速度の任意操作のいずれかを選択する選択手段と、
この選択手段により前記複数の運転条件のいずれかが選択された場合、選択された運転条件を前記記憶部から読み出し、読み出した運転条件を基に前記駆動装置及びエンジンの駆動速度を制御する制御手段と
を備えたことを特徴とする自走式破砕機。
【請求項３】
請求項１又は２の自走式破砕機において、前記破砕装置から排出される破砕物の粒度を設定する篩部材をさらに備え、被破砕物の種類、粒度、目標生産量のうちの少なくとも１つに応じた前記篩部材の開口径が前記複数の運転条件にさらに含まれていることを特徴とする自走式破砕機。
【請求項４】
請求項１〜３のいずれかの自走式破砕機において、前記選択手段は、被破砕物の種類で表した運転条件名を選択肢に有していることを特徴とする自走式破砕機。
【請求項５】
請求項１〜３のいずれかの自走式破砕機において、前記選択手段は、被破砕物若しくは破砕物の粒度、又は目標生産量で表した運転条件名を選択肢に有していることを特徴とする自走式破砕機。
【請求項６】
請求項１〜５のいずれかの自走式破砕機において、前記記憶部に記憶させる運転条件を設定する設定手段を備えたことを特徴とする自走式破砕機。
【請求項７】
請求項１〜６のいずれかの自走式破砕機において、前記記憶部は電源停止時にも前記運転条件を保持可能な不揮発性記憶手段を有しており、前記運転条件を前記不揮発性記憶手段に書きこむ第１のデータ書き込み処理手段をさらに備えたことを特徴とする自走式破砕機。
【請求項８】
請求項１〜７のいずれかの自走式破砕機において、前記運転条件を外部記録媒体に書き込む第２のデータ書き込み処理手段を備えたことを特徴とする自走式破砕機。
【請求項９】
請求項１〜８のいずれかの自走式破砕機において、情報通信を介し外部端末との間で前記運転条件のデータを授受する手段をさらに備えたことを特徴とする自走式破砕機。
【発明の詳細な説明】
【０００１】
【発明の属する技術分野】
本発明は、破砕装置で被破砕物を破砕する自走式破砕機に係わり、例えば、エンジンで駆動される油圧ポンプからの圧油により破砕装置用油圧アクチュエータ等を駆動する自走式破砕機に関するものである。
【０００２】
【従来の技術】
近年、いわゆるリサイクル法の施行（平成３年１０月）といった廃棄物再利用促進の背景の下、自走式破砕機の活躍の場が拡がりつつある。
この自走式破砕機は、走行手段により自走可能であるとともに、ホッパで受け入れた被破砕物（コンクリート塊、アスファルト塊、岩石、建設廃材、産業廃棄物等）を破砕装置で破砕し、その破砕物をコンベアで排出するものである。
【０００３】
破砕装置としてはいくつかの種類が既に提唱されており、岩石、建設廃材などを破砕するのに好適な、スイングジョーを固定ジョーに対して揺動運動させそれらの間で被破砕物を挟み付けるようにして破砕を行うジョークラッシャや、複数個の衝撃刃を備えたロータを回転させこの衝撃刃からの打撃及び容器内壁に設けた反発板との衝突により被破砕物を衝撃的に破砕するいわゆるインパクトクラッシャや、ほぼ平行に配置した複数の回転軸のそれぞれに回転歯を固設し、それら回転歯の間に被破砕物を噛み込ませ、これによって被破砕物を噛み切るように細くせん断するせん断式破砕装置（いわゆるシュレッダを含む２軸せん断機等）等が提唱されている。また特に、森林で伐採された木材を枝払いするときに発生する剪定枝材・間伐材や、造成・緑地維持管理等で発生する枝木材、あるいは木造家屋を解体したときに発生する廃木材等を破砕対象とする木材破砕装置も提唱されている。
【０００４】
例えばジョークラッシャを備えた自走式破砕機の例として、例えば特開平１１−１９７５３２号公報記載のものがある。この従来技術では、油圧ショベル等によってホッパに投入された被破砕物は、ホッパ下方に備えられたフィーダにより破砕装置（ジョークラッシャ）へと導かれて所定の大きさに破砕される。破砕物は、ジョークラッシャの下方に配置されたコンベアの上に落下して搬送され、最終的に自走式破砕機の後部から搬出される。上記フィーダ、破砕装置、及びコンベア等は、それぞれに対応する油圧モータを備えた自走式破砕機の油圧駆動装置によって駆動動作される。
【０００５】
ここで、上記従来技術中には必ずしも明確には示されていないが、通常、この種の自走式破砕機の油圧駆動装置では、エンジンによって駆動される油圧ポンプと、油圧ポンプから吐出される圧油によりそれぞれ駆動され、フィーダ、破砕装置、及びコンベアをそれぞれ駆動するフィーダ用油圧モータ、破砕装置用油圧モータ、及びコンベア用油圧モータと、前記油圧ポンプからそれら油圧モータに供給される圧油の流れ（例えば方向及び流量）をそれぞれ制御するフィーダ用コントロールバルブ、破砕装置用コントロールバルブ、及びコンベア用コントロールバルブと等から構成されており、前記油圧ポンプから吐出された圧油は、各コントロールバルブを介して各油圧モータに供給される。このとき、無限軌道履帯（クローラ）を備えた走行体の上部に設けた操作盤に、上記フィーダ、破砕装置、コンベア等に対応する操作手段（ボタン・スイッチ等）が設けられており、操作者がこれら操作手段を操作することによって上記各コントロールバルブが切り換わり、これによって対応する油圧モータが駆動されるようになっている。
【０００６】
操作手段としては、例えば、フィーダを起動及び停止するフィーダ起動ボタン及び停止ボタン、フィーダの動作スピードを設定するフィーダスピードダイヤル、破砕装置を起動及び停止する破砕装置起動ボタン及び停止ボタン、破砕装置の動作スピードを設定する破砕装置スピードダイヤル、コンベアを起動及び停止するコンベア起動及び停止ボタンが設けられる。
【０００７】
一方、上記油圧ポンプを駆動するエンジンは、通常いわゆる電子ガバナタイプのエンジンが用いられ、操作者が手動でそのエンジンの回転数をスロットル装置に設定入力することにより、その設定回転数に基づく制御信号が燃料噴射制御装置に入力され、燃料噴射制御装置がその制御信号に基づき燃料噴射ポンプを制御し、これによってエンジンの回転数が前記設定された回転数に制御されるようになっている。
【０００８】
破砕作業を開始する場合には、操作者がエンジンの回転数をスロットル装置で適宜の値に手動設定した後、コンベア起動ボタン、破砕装置起動ボタン、フィーダ起動ボタンという被破砕物・破砕物の通過する順序と逆の順序で、それぞれが安定運転するまでの所定の時間間隔をおきつつ１つ１つ操作し、それぞれを起動させる。またそのときのフィーダ及び破砕装置の動作速度は、フィーダスピードダイヤル及び破砕装置スピードダイヤルによって適宜の値に設定している。
【０００９】
なお、以上は破砕装置としてジョークラッシャを備えた上記従来技術を例にとって説明したが、他の破砕装置、例えばせん断式破砕装置や木材破砕装置を備えた自走式破砕機においても、一部の機器（フィーダ、磁選機、押えローラ等）が省略されたりあるいは追加されたり等の違いはあるものの、基本的にはほぼ同様の構成及び操作手順となっている。
【００１０】
【発明が解決しようとする課題】
通常、自走式破砕機における破砕作業にあっては、被破砕物の種類、大きさ（粒度）、硬さ、異物混入の有無等や、その被破砕物を破砕して得たい破砕物の種類、大きさ（粒度）、生産量等によって、その作業に最適な運転（稼動）条件、すなわち上記フィーダや破砕装置等の動作速度は異なってくる。
【００１１】
このため、上記従来の自走式破砕機においては、破砕作業を開始する際には、過去に同様の処理を行った際の操作者の経験、あるいは作業者の長年の勘等に基づき、上記各動作条件をその都度手動で再設定していた。この場合、今回行おうとする作業が過去に行った作業とほぼ同様の内容であったとしても、作業者が代わった場合等には、最適な動作条件を再現するのが容易ではない場合がある。特に、上記フィーダスピードダイヤル及び破砕装置スピードダイヤル等のような場合は、動作条件自体が手動によるアナログ設定となるため、なおさら最適動作条件を再現するのが困難となる。
【００１２】
一方、近年のリサイクル促進の機運の下、市街地及びその近郊での作業も徐々に増大しつつあるが、そのような場合、周囲環境への配慮から騒音規制が例えば法令上にて設けられていることがある。このような稼動条件では、各機器の動作速度に作業上支障が出ないようにしつつ、騒音規制を遵守できる程度にエンジン回転数を下げる必要がある。このような場合でも、スロットル装置によるエンジン回転数の設定について、上記と同様、最適動作条件を再現するのが容易ではないという問題がある。
【００１３】
以上のように、従来は、破砕作業時におけるフィーダ、破砕装置、エンジン等の各機器の最適動作条件を容易に再現できないため、それを実現するのに破砕作業開始の都度、多大な時間を要しており、その結果、稼働率の低下を招いていた。
【００１４】
本発明は、上記従来技術の問題に鑑みてなされたものであり、その目的は、破砕作業時における各機器の最適動作条件を容易に再現可能とし、稼働率を向上することができる自走式破砕機を提供することにある。
【００１５】
【課題を解決するための手段】
（１）上記目的を達成するために、本発明の自走式土質改良機破砕機は、走行手段と、この走行手段の上部に設けたフレームと、このフレームの一方側に設けた被破砕物の受け入れ手段と、この受け入れ手段で受け入れた被破砕物を破砕処理する破砕装置と、この破砕装置に前記受入手段で受け入れた被破砕物を供給するフィーダと、前記フレームの他方側に設けられ、エンジン及びこのエンジンにより駆動される油圧ポンプを内蔵したパワーユニットと、前記油圧ポンプから吐出される圧油により駆動される前記破砕装置及びフィーダの各駆動装置の駆動速度と前記エンジンの駆動速度を含む被破砕物の種類、粒度、目標生産量のうちの少なくとも１つに応じた複数の運転条件を記憶した記憶部と、前記複数の運転条件の一つ、及び前記各駆動装置及びエンジンの駆動速度の任意操作のいずれかを選択する選択手段と、この選択手段により前記複数の運転条件のいずれかが選択された場合、選択された運転条件を前記記憶部から読み出し、読み出した運転条件を基に前記駆動装置及びエンジンの駆動速度を制御する制御手段とを備える。
【００１６】
（２）上記目的を達成するために、また本発明の自走式土質改良機破砕機は、走行手段と、この走行手段の上部に設けたフレームと、このフレームの一方側に設けた被破砕物の受け入れ手段と、この受け入れ手段で受け入れた被破砕物を破砕処理する破砕装置と、前記破砕装置の駆動装置を含む被駆動装置の駆動速度を含む被破砕物の種類、粒度、目標生産量のうちの少なくとも１つに応じた複数の運転条件を記憶した記憶部と、前記複数の運転条件の一つ、及び前記駆動装置の駆動速度の任意操作のいずれかを選択する選択手段と、この選択手段により前記複数の運転条件のいずれかが選択された場合、選択された運転条件を前記記憶部から読み出し、読み出した運転条件を基に前記駆動装置及びエンジンの駆動速度を制御する制御手段とを備える。
【００１７】
（３）上記（１）又は（２）において、好ましくは、前記破砕装置から排出される破砕物の粒度を設定する篩部材をさらに備え、被破砕物の種類、粒度、目標生産量のうちの少なくとも１つに応じた前記篩部材の開口径が前記複数の運転条件にさらに含まれている。
【００１８】
（４）上記（１）〜（３）のいずれかにおいて、好ましくは、前記選択手段は、被破砕物の種類で表した運転条件名を選択肢に有している。
【００１９】
（５）上記（１）〜（３）のいずれかにおいて、好ましくは、前記選択手段は、被破砕物若しくは破砕物の粒度、又は目標生産量で表した運転条件名を選択肢に有している。
【００２０】
（６）上記（１）〜（５）のいずれかにおいて、好ましくは、前記記憶部に記憶させる運転条件を設定する設定手段を備える。
【００２１】
（７）上記（１）〜（６）のいずれかにおいて、好ましくは、前記記憶部は電源停止時にも前記運転条件を保持可能な不揮発性記憶手段を有しており、前記運転条件を前記不揮発性記憶手段に書きこむ第１のデータ書き込み処理手段をさらに備える。
【００２２】
（８）上記（１）〜（７）のいずれかにおいて、好ましくは、前記運転条件を外部記録媒体に書き込む第２のデータ書き込み処理手段を備える。
【００２３】
（９）上記（１）〜（８）のいずれかにおいて、好ましくは、情報通信を介し外部端末との間で前記運転条件のデータを授受する手段をさらに備える。
【００３４】
【発明の実施の形態】
以下、本発明の実施の形態を図面を参照しつつ説明する。
【００３５】
図１は、本発明の自走式破砕機の一実施の形態の自走式破砕機の全体構造を表す側面図であり、図２は本発明の自走式破砕機の一実施の形態の自走式破砕機の全体構造を表す上面図である。この実施の形態は、破砕装置としていわゆるジョークラッシャを備える自走式破砕機の実施の形態である。
【００３６】
これら図１及び図２において、この自走式破砕機は、例えば油圧ショベルのバケット等の作業具によりリサイクル原料としての被破砕物（例えばビル解体時に搬出されるコンクリート塊や道路補修時に排出されるアスファルト塊などの建設現場で発生する大小さまざまな建設廃材・産業廃棄物、若しくは岩石採掘現場や切羽で採掘される岩石・自然石等、以下適宜、岩石・建設廃材等という）が投入され、その岩石・建設廃材等を受け入れるホッパ１、ホッパ１に受け入れた岩石・建設廃材等を所定の大きさに破砕処理し下方へ排出する破砕装置（ジョークラッシャ）２、及びホッパ１に受け入れた岩石・建設廃材等を破砕装置２へと搬送し導くフィーダ３を搭載した破砕機本体４と、この破砕機本体４の下方に設けられた走行体５と、破砕装置２で破砕され下方へ排出された破砕物を受け入れて自走式破砕機の後方側（後述する本体フレーム破砕機取付け部８Ａの長手方向の他方側、図１中右側）に運搬し搬出するコンベア（搬出コンベア）６と、このコンベア６の上方に設けられコンベア６上を運搬中の破砕物に含まれる磁性物（鉄筋等）を磁気的に吸引除去して最終的にリサイクル用の破砕物製品とする磁選機７とを有する。
【００３７】
前記の走行体５は、本体フレーム８と、走行手段としての左・右無限軌道履帯１４とを備えている。本体フレーム８は、例えば略長方形の枠体によって形成され前記破砕装置２、前記ホッパ１、及び後述のパワーユニット２４等を載置する破砕機取付け部８Ａと、この破砕機取付け部８Ａと前記の左・右無限軌道履帯１４とを接続するトラックフレーム部８Ｂとから構成される。また無限軌道履帯１４は、前記トラックフレーム部８Ｂに回転自在に支持された駆動輪１２ａ及びアイドラ１２ｂの間に掛け渡されており、駆動輪１２ａ側に設けられた左・右走行用油圧モータ１６，１７によって駆動力が与えられることにより自走式破砕機を走行させるようになっている。
【００３８】
前記のホッパ１は、前記フィーダ３とともに、前記本体フレーム破砕機取付け部８Ａの長手方向（図１中左右方向）一方側（自走式破砕機前方側、すなわち図１中左側）端部の上方に搭載されている。
【００３９】
前記の破砕装置２は、前記ホッパ１及びフィーダ３よりも自走式破砕機後方側（図１中右側）に位置しており、図１に示すように、前記本体フレーム破砕機取付け部８Ａの長手方向ほぼ中間部上に搭載されている。このとき、破砕装置用油圧モータ９（図２参照）で発生した駆動力をベルト（図示せず）を介してフライホイール２ａに伝達し、さらにフライホイール２ａに伝達された駆動力を公知の変換機構で動歯（図示せず）の揺動運動に変換し、この動歯を固定歯（不動歯、図示せず）に対して前後に揺動させることにより、前記フィーダ３より供給された岩石・建設廃材等を所定の大きさに破砕するようになっている。
【００４０】
前記のフィーダ３は、図１に示すように、本体フレーム破砕機取付け部８Ａの長手方向一方側（図１中左側）端部近傍に設けたフィーダフレーム１５上に搭載されており、その略直上に前記ホッパ１が位置している。また、このフィーダ３は、いわゆるグリズリフィーダと称されるものであり、フィーダ用油圧モータ１０で発生した駆動力によって、ホッパ１からの岩石・建設廃材等を載置する複数枚（この例では２枚）の鋸歯状プレート３ａ（図２参照）を含む底板部を加振する。このような構造により、ホッパ１に投入された岩石・建設廃材等を順次破砕装置２に搬送供給する（＝搬送機能）とともに、その搬送中において岩石・建設廃材等中に含まれる細粒や細かい土砂等を鋸歯状プレート３ａの鋸歯の隙間からシュート３ｂ（図１参照）を介し下方に落下させコンベア６上へ導入するようになっている。すなわち、鋸歯状プレート３ａの鋸歯の隙間の大きさよりも小さな粒度の岩石・建設廃材等をふるい落とすことにより、上記隙間の大きさ以上の粒度の岩石・建設廃材等を選別するという選別機能も併せて備えている。
【００４１】
前記のコンベア６は、コンベア用油圧モータ１１（図２参照）によってベルト６ａを駆動し、これによって前記破砕装置２からベルト６ａ上に落下してきた破砕物及び前記シュート３ｂを介した細粒落下物（未破砕）を運搬するようになっている。
【００４２】
またこのコンベア６は、搬送側（言い換えれば自走式破砕機後方側、図１中右側）の部分が支持部材６ｃ，６ｄを介しパワーユニット２４（詳細は後述）に取りつけたアーム部材１８ａに吊り下げ支持されている。また、搬送側と反対側（自走式破砕機前方側、図１中左側）の部分は、前記本体フレーム破砕機取付け部８Ａよりも下方に位置し、支持部材１８ｂを介し本体フレーム破砕機取付け部８Ａから吊り下げられるように支持されている。これにより、コンベア６は、図１に示すように、パワーユニット２４の外縁部（後端部）の下方空間で、搬出方向（図１中右方）に斜めに立ち上がるように配置されている。そして、前記支持部材６ｃは、前記コンベア６が前記パワーユニット２４に最も接近する箇所、すなわち前記コンベア６の搬送方向中間部６ｂと前記パワーユニット２４外縁部（後端部）とをほぼ最短距離で結ぶように連結している。
【００４３】
前記の磁選機７は、支持部材７ｂを介し前記アーム部材１８に吊り下げ支持されており、前記のコンベアベルト６ａの上方にこのコンベアベルト６ａと略直交するように配置された磁選機ベルト７ａを、磁選機用油圧モータ１３によって磁力発生手段（図示せず）まわりに駆動することにより、磁力発生手段からの磁力を磁選機ベルト７ａ越しに作用させて磁性物を磁選機ベルト７ａに吸着させた後、コンベアベルト６ａと略直交する方向に運搬し、コンベア６に設けたシュート６ｅを介しそのコンベアベルト６ａの側方に落下させるようになっている。
【００４４】
前記の本体フレーム破砕機取付け部８Ａの長手方向後方側（図１、図２中右側）端部の上部には、パワーユニット積載部材２４ｂを介してパワーユニット２４が搭載されている（図１参照）。このパワーユニット２４は、原動機としてのエンジン２１（後述の図３参照）と、このエンジン２１によって駆動される可変容量型の第１油圧ポンプ１９及び第２油圧ポンプ２０（図３参照）と、後述するコントロールバルブ２６〜３１を備えた制御弁装置が内蔵されている。また、パワーユニット２４の前方側（図１及び図２中左側）には、操作者が搭乗する運転席２４ａが設けられている。
【００４５】
ここで、上記破砕装置２、フィーダ３、走行体５、コンベア６、及び磁選機７は、この自走式破砕機に備えられる油圧駆動装置によって駆動される被駆動部材を構成している。図３は、上記本発明の自走式破砕機の一実施の形態を構成する油圧駆動装置を表す油圧回路図である。
【００４６】
図３において、この油圧駆動装置は、いわゆる電子ガバナタイプの上記エンジン２１と、このエンジン２１によって駆動される可変容量型の上記第１油圧ポンプ１９及び上記第２油圧ポンプ２０と、同様にエンジン２１によって駆動される固定容量型のパイロットポンプ２５と、第１及び第２油圧ポンプ１９，２０から吐出される圧油がそれぞれ供給される前記油圧モータ９，１０，１１，１３，１６，１７と、第１及び第２油圧ポンプ１９，２０からそれら油圧モータ９，１０，１１，１３，１６，１７に供給される圧油の流れ（方向及び流量、若しくは流量のみ）を制御する６つのコントロールバルブ２６，２７，２８，２９，３０，３１と、前記の運転席２４ａに設けられ（図１参照）、左・右走行用コントロールバルブ２７，２８（後述）をそれぞれ切り換え操作するための左・右走行用操作レバー３２ａ，３３ａと、破砕機本体４（例えば前記の運転席２４ａ内）に設けられ、破砕装置２、フィーダ３、コンベア６、及び磁選機７の始動・停止等を操作者が指示入力して操作するための操作盤３６とを有している。
【００４７】
６つの油圧モータ９，１０，１１，１３，１６，１７は、前述のように、破砕装置２動作用の駆動力を発生する上記破砕装置用油圧モータ９、フィーダ３動作用の駆動力を発生する上記フィーダ用油圧モータ１０、コンベア６動作用の駆動力を発生する上記コンベア用油圧モータ１１、磁選機７動作用の駆動力を発生する上記磁選機用油圧モータ１３、及び左・右無限軌道履帯１４への駆動力を発生する上記左・右走行用油圧モータ１６，１７とから構成されている。
【００４８】
コントロールバルブ２６〜３１は、２位置切換弁又は３位置切換弁であり、破砕装置用油圧モータ９に接続された破砕装置用コントロールバルブ２６と、左走行用油圧モータ１６に接続された左走行用コントロールバルブ２７と、右走行用油圧モータ１７に接続された右走行用コントロールバルブ２８と、フィーダ用油圧モータ１０に接続されたフィーダ用コントロールバルブ２９と、コンベア用油圧モータ１１に接続されたコンベア用コントロールバルブ３０と、磁選機用油圧モータ１３に接続された磁選機用コントロールバルブ３１とから構成されている。
【００４９】
このとき、第１及び第２油圧ポンプ１９，２０のうち、第１油圧ポンプ１９は、左走行用コントロールバルブ２７及び破砕装置用コントロールバルブ２６を介して左走行用油圧モータ１６及び破砕装置用油圧モータ９へ供給するための圧油を吐出するようになっている。これらコントロールバルブ２７，２６はいずれも、対応する油圧モータ１６，９への圧油の方向及び流量を制御可能な３位置切換弁となっており、第１油圧ポンプ１９の吐出管路３７に接続されたセンターバイパスライン２２において、上流側から、左走行用コントロールバルブ２７、破砕装置用コントロールバルブ２６の順序で配置されている。
【００５０】
一方、第２油圧ポンプ２０は、右走行用コントロールバルブ２８、フィーダ用コントロールバルブ２９、コンベア用コントロールバルブ３０、及び磁選機用コントロールバルブ３１を介し、フィーダ用油圧モータ１０、コンベア用油圧モータ１１、及び磁選機用油圧モータ１３へ供給するための圧油を吐出するようになっている。これらのうち右走行用コントロールバルブ２８は対応する右走行用油圧モータ１７への圧油の流れを制御可能な３位置切換弁となっている。その他のコントロールバルブ２９，３０，３１は対応する油圧モータ１０，１１，１３への圧油の流量を制御可能な２位置切換弁となっており、第２油圧ポンプ１９の吐出管路３９に接続されたセンターバイパスライン２３において右走行用コントロールバルブ２８の下流側に配置された分流弁５０を介し、センターバイパスライン２３に接続されている。
【００５１】
上記コントロールバルブ２６〜３１のうち、左・右走行用コントロールバルブ２７，２８はそれぞれ、パイロットポンプ２５で発生されたパイロット圧を用いて操作されるセンターバイパス型のパイロット操作弁である。これら左・右走行用コントロールバルブ２７，２８は、パイロットポンプ２５で発生され前述の操作レバー３２ａ，３３ａを備えた操作レバー装置３２，３３で所定圧力に減圧されたパイロット圧により操作される。
【００５２】
すなわち、操作レバー装置３２，３３は、操作レバー３２ａ及び３３ａとその操作量に応じたパイロット圧を出力する一対の減圧弁３２ｂ，３２ｂ及び３３ｂ，３３ｂとを備えている。操作レバー装置３２の操作レバー３２ａを図３中ａ方向（又はその反対方向、以下かっこ内対応関係同じ）に操作すると、パイロット圧がパイロット管路４０（又は４１）を介して左走行用コントロールバルブ２７の駆動部２７ａ（又は２７ｂ）に導かれ、これによって左走行用コントロールバルブ２７が図３中上側の切換位置２７Ａ（又は下側の切換位置２７Ｂ）に切り換えられ、第１油圧ポンプ１９からの圧油が吐出管路３７、センターバイパスライン２２ａ、及び左走行用コントロールバルブ２７の切換位置２７Ａ（又は下側の切換位置２７Ｂ）を介して左走行用油圧モータ１６に供給され、左走行用油圧モータ１６が順方向（又は逆方向）に駆動される。
【００５３】
なお、操作レバー３２ａを図３に示す中立位置にすると、左走行用コントロールバルブ２７はばね２７ｃ，２７ｄの付勢力で図３に示す中立位置に復帰し、左走行用油圧モータ１６は停止する。
【００５４】
同様に、操作レバー装置３３の操作レバー３３ａを図３中ｂ方向（又はその反対方向）に操作すると、パイロット圧がパイロット管路４２（又は４３）を介し右走行用コントロールバルブ２８の駆動部２８ａ（又は２８ｂ）に導かれて図３中上側の切換位置２８Ａ（又は下側の切換位置２８Ｂ）に切り換えられ、右走行用油圧モータ１７が順方向（又は逆方向）に駆動されるようになっている。操作レバー３３ａを中立位置にするとばね２８ｃ，２８ｄの付勢力で右走行用コントロールバルブ２８は中立位置に復帰し右走行用油圧モータ１７は停止する。
【００５５】
ここで、パイロットポンプ２５からのパイロット圧を操作レバー装置３２，３３に導くパイロット導入管路４４ａ，４４ｂには、コントローラ４５からの駆動信号Ｓt（後述）で切り換えられるソレノイド制御弁４６が設けられている。このソレノイド制御弁４６は、ソレノイド４６ａに入力される駆動信号ＳtがＯＮになると図３中左側の連通位置４６Ａに切り換えられ、パイロットポンプ２５からのパイロット圧を導入管路４４ａ，４４ｂを介し操作レバー装置３２，３３に導き、操作レバー３２ａ，３３ａによる左・右走行用コントロールバルブ２７，２８の上記操作を可能とする。
【００５６】
一方、駆動信号ＳtがＯＦＦになると、ソレノイド制御弁４６はばね４６ｂの復元力で図３中右側の遮断位置４６Ｂに復帰し、導入管路４４ａと導入管路４４ｂとを遮断すると共に導入管路４４ｂをタンク４７へのタンクライン４７ａに連通させ、この導入管路４４ｂ内の圧力をタンク圧とし、操作レバー装置３２，３３による左・右走行用コントロールバルブ２７，２８の上記操作を不可能とするようになっている。
【００５７】
破砕装置用コントロールバルブ２６は、両端にソレノイド駆動部２６ａ，２６ｂを備えたセンターバイパス型の電磁比例弁である。ソレノイド駆動部２６ａ，２６ｂには、コントローラ４５からの駆動信号Ｓcrで駆動されるソレノイドがそれぞれ設けられており、破砕装置用コントロールバルブ２６はその駆動信号Ｓcrの入力に応じて切り換えられるようになっている。
【００５８】
すなわち、駆動信号Ｓcrが破砕装置２の正転（又は逆転、以下、かっこ内対応関係同じ）に対応する信号、例えばソレノイド駆動部２６ａ及び２６ｂへの駆動信号ＳcrがそれぞれＯＮ及びＯＦＦ（又はソレノイド駆動部２６ａ及び２６ｂへの駆動信号ＳcrがそれぞれＯＦＦ及びＯＮ）になると、破砕装置用コントロールバルブ２６が図３中上側の切換位置２６Ａ（又は下側の切換位置２６Ｂ）に切り換えられる。これにより、第１油圧ポンプ１９からの圧油が吐出管路３７、センターバイパスライン２２ａ、及び破砕装置用コントロールバルブ２６の切換位置２６Ａ（又は下側の切換位置２６Ｂ）を介して破砕装置用油圧モータ９に供給され、破砕装置用油圧モータ９が順方向（又は逆方向）に駆動される。なお、上記のように切換位置２６Ａ（又は切換位置２６Ｂ）に切り換えられるときの切り換え開度は、ソレノイド駆動部２６ａ，２６ｂへの駆動電流値に応じて定まるようになっている。
【００５９】
駆動信号Ｓcrが破砕装置２の停止に対応する信号、例えばソレノイド駆動部２６ａ及び２６ｂへの駆動信号ＳcrがともにＯＦＦになると、コントロールバルブ２６がばね２６ｃ，２６ｄの付勢力で図３に示す中立位置に復帰し、破砕装置用油圧モータ９は停止する。
【００６０】
なお、第１及び第２油圧ポンプ１９，２０の吐出管路３７，３９から分岐した管路８７，８８には、リリーフ弁８９及びリリーフ弁９０がそれぞれ設けられており、第１及び第２油圧ポンプ１９，２０の吐出圧の最大値を制限するためのリリーフ圧の値を、それぞれに備えられたばね８９ａ，９０ａの付勢力で設定するようになっている。
【００６１】
前記分流弁５０は、詳細な構造説明を省略するが、圧力補償機能を内蔵したこの種のものとして公知の分流弁であり、その下流側に接続されたフィーダ用コンベア用油圧モータ、コンベア用油圧モータ、磁選機用油圧モータの負荷圧力の如何にかかわらず、常に（フィーダ用油圧モータ１０側への導入圧油量）：（コンベア用油圧モータ１１側への導入圧油量）：（磁選機用油圧モータ１３側への導入圧油量）が所定の割合（例えば２：２：１）となるように、第２油圧ポンプ２０からの圧油を分配供給するようになっている。
【００６２】
前記フィーダ用コントロールバルブ２９は、ソレノイド駆動部２９ａを備えた電磁比例弁である。ソレノイド駆動部２９ａには、コントローラ４５からの駆動信号Ｓfで駆動されるソレノイドが設けられており、フィーダ用コントロールバルブ２９はその駆動信号Ｓfの入力に応じて切り換えられるようになっている。すなわち、駆動信号Ｓfがフィーダ３を動作させるＯＮ信号になると、フィーダ用コントロールバルブ２９が図３中右側の切換位置２９Ａに切り換えられる。これにより、吐出管路３９及び分流弁５０を介し導かれた第２油圧ポンプ２０からの圧油は、切換位置２９Ａから供給管路５１ａを経て、フィーダ用油圧モータ１０に供給され、この油圧モータ１０が駆動される。このときの戻り油は、排出管路４１ｂを経てタンク４７へと戻る。駆動信号Ｓfがコンベア６の停止に対応するＯＦＦ信号になると、フィーダ用コントロールバルブ２９はばね２９ｂの付勢力で図３に示す遮断位置２９Ｂに復帰し、フィーダ用油圧モータ１０は停止する。
【００６３】
前記コンベア用コントロールバルブ３０は、上記同様、ソレノイド駆動部３０ａを備えた電磁切換弁である。駆動信号Ｓconがコンベア６を動作させるＯＮ信号になると、コンベア用コントロールバルブ３０が図３中右側の切換位置３０Ａに切り換えられ、吐出管路３９及び分流弁５０を介し導かれた第２油圧ポンプ２０からの圧油は、切換位置３０Ａから供給管路５２ａを経て、コンベア用油圧モータ１１に供給され駆動される。このときの戻り油は、排出管路５２ｂを経てタンク４７へと戻る。駆動信号Ｓconがコンベア５の停止に対応するＯＦＦ信号になると、コンベア用コントロールバルブ３０はばね３０ｂの付勢力で図３に示す遮断位置３０Ｂに復帰し、コンベア用油圧モータ１１は停止する。
【００６４】
前記磁選機用コントロールバルブ３１は、上記同様、コントローラ４５からの駆動信号Ｓmが磁選機７を動作させるＯＮ信号になると、磁選機用コントロールバルブ３１は図３中右側の連通位置３１Ａに切り換えられ、第２油圧ポンプ２０からの圧油が、分流弁５０、磁選機用コントロールバルブ切換位置３１Ａ、及び供給管路５３ａを介し磁選機用油圧モータ１３に供給されて駆動され、戻り油は排出管路５３ｂを介しタンク４７へ戻る。駆動信号Ｓmが磁選機７の停止に対応するＯＦＦ信号になると、磁選機用コントロールバルブ３１はばね３１ｂの付勢力で図３に示す遮断位置３１Ｂに復帰し、磁選機用油圧モータ１３は停止する。
【００６５】
なお、上記したフィーダ用油圧モータ１０、コンベア用油圧モータ１１、及び磁選機用油圧モータ１３への圧油の供給に関し、回路保護等の観点から、供給管路５１ａ，５２ａ，５３ａと排出管路５１ｂ，５２ｂ，５３ｂとの間を接続する管路５４ａ，５５ａ，５６ａに、それぞれリリーフ弁５４ｂ，５５ｂ，５６ｂが設けられている。
【００６６】
前記のエンジン２１には、その回転数を検出するエンジン回転数センサ５７と、エンジン２１へ燃料を噴射する燃料噴射装置５８と、燃料噴射装置５８の燃料噴射量を制御する燃料噴射制御装置５９と、エンジン回転数を操作者が手動で設定入力可能なスロットル装置６０が設けられている。
【００６７】
スロットル装置６０で入力された設定回転数はコントローラ４５に入力される。コントローラ４５は、この設定回転数と、後述の操作盤３６の動作モード選択ダイヤル３６ｎ（後述）の選択結果と、回転数センサ５７で検出した現在のエンジン２１の回転数Ｎとに基づき、燃料噴射制御装置５９に制御信号Ｓeを出力する。燃料噴射制御装置５９は、この制御信号に基づき、燃料噴射装置５８に備えられた例えば公知の燃料噴射ポンプの燃料噴射量を制御する。この燃料噴射量に応じてエンジン２１の回転数が決まり、この回転数は回転数検出器１０４で検出されてコントローラ４５にフィードバックされる。これにより、結局、エンジン２１の回転数は、コントローラ４５からの制御信号によって制御されるようになっている。
【００６８】
前記の操作盤３６には、破砕装置２を正転方向に起動させるための破砕装置正転起動ボタン３６ａと、破砕装置２を逆転方向に起動させるための破砕装置逆転起動ボタン３６ｂと、破砕装置２を停止させる破砕装置停止ボタン３６ｃと、破砕装置２の動作速度を手動操作にて設定するための破砕装置速度設定ダイヤル３６ｄと、フィーダ３を起動させるためのフィーダ起動ボタン３６ｅと、フィーダ３を停止させるためのフィーダ停止ボタン３６ｆと、フィーダ３の動作速度を手動操作にて設定するためのフィーダ速度設定ダイヤル３６ｇと、コンベア６を起動又は停止させるためのコンベア起動ボタン３６ｈ及びコンベア停止ボタン３６ｉと、磁選機７を起動又は停止させるための磁選機起動ボタン３６ｊ及び磁選機停止ボタン３６ｋと、走行操作を行うか破砕作業を行うかのいずれか一方を選択するための作業選択スイッチ３６ｍと、本実施の形態の大きな特徴である各種機器動作速度に係わる動作モード（詳細は後述）を選択するための動作モード選択ダイヤル３６ｎとを備えている。
【００６９】
操作者が上記操作盤３６の各種スイッチ及びダイヤルの操作を行うと、その操作信号が前記のコントローラ４５に入力される。コントローラ４５は、操作盤３６からの操作信号に基づき、前述した破砕装置用コントロールバルブ２６、フィーダ用コントロールバルブ２９、コンベア用コントロールバルブ３０、磁選機用コントロールバルブ３１、及びソレノイド制御弁４６のソレノイド駆動部２６ａ，２６ｂ、ソレノイド駆動部２９ａ、ソレノイド駆動部３０ａ、ソレノイド駆動部３１ａ、ソレノイド４６ａ、及びソレノイド１１０ａへの前記の駆動信号Ｓcr，Ｓf，Ｓcon，Ｓm，Ｓtを生成し、対応するソレノイドにそれらを出力するようになっている。
【００７０】
すなわち、操作盤３６の作業選択スイッチ３６ｍで「走行」が選択された場合には、ソレノイド制御弁４６の駆動信号ＳtをＯＮにしてソレノイド制御弁４６を図３中左側の連通位置に切り換え、操作レバー３２ａ，３３ａによる走行用コントロールバルブ２７，２８の操作を可能とする。作業選択スイッチ３６ｍで「破砕」が選択された場合には、ソレノイド制御弁４６の駆動信号ＳtをＯＦＦにして図３中右側の遮断位置に復帰させ、操作レバー３２ａ，３３ａによる走行用コントロールバルブ２７，２８の操作を不可能とする。
【００７１】
また、操作盤３６の破砕装置正転起動ボタン３６ａ（又は破砕装置逆転起動ボタン３６ｂ、以下、かっこ内対応関係同じ）が押された場合、破砕装置用コントロールバルブ２６のソレノイド駆動部２６ａ（又はソレノイド駆動部２６ｂ）への駆動信号ＳcrをＯＮにするとともにソレノイド駆動部２６ｂ（又はソレノイド駆動部２６ａ）への駆動信号ＳcrをＯＦＦにし、破砕装置用コントロールバルブ２６を図３中上側の切換位置２６Ａ（又は下側の切換位置２６Ｂ）に切り換え、第１油圧ポンプ１９からの圧油を破砕装置用油圧モータ９に供給して駆動し、破砕装置２を正転方向（又は逆転方向）に起動する。
【００７２】
その後、破砕装置停止ボタン３６ｃが押された場合、破砕装置用コントロールバルブ２６のソレノイド駆動部２６ａ及びソレノイド駆動部２６ｂの駆動信号ＳcrをともにＯＦＦにして図３に示す中立位置に復帰させ、破砕装置用油圧モータ９を停止し、破砕装置２を停止させる。
【００７３】
また、操作盤３６のフィーダ起動ボタン３６ｅが押された場合、フィーダ用コントロールバルブ２９のソレノイド駆動部２９ａへの駆動信号ＳfをＯＮにして図３中上側の切換位置２９Ａに切り換え、第２油圧ポンプ２０からの圧油をフィーダ用油圧モータ１０に供給して駆動し、フィーダ３を起動する。その後、操作盤３６のフィーダ停止ボタン３６ｆが押されると、フィーダ用コントロールバルブ２９のソレノイド駆動部２９ａへの駆動信号ＳfをＯＦＦにして図３に示す中立位置に復帰させ、フィーダ用油圧モータ１０を停止し、フィーダ３を停止させる。
【００７４】
同様に、コンベア起動ボタン３６ｈが押された場合、コンベア用コントロールバルブ３０を図３中上側の切換位置３０Ａに切り換え、コンベア用油圧モータ１１を駆動してコンベア６を起動し、コンベア停止ボタン３６ｉが押されると、コンベア用コントロールバルブ３０を中立位置に復帰させ、コンベア６を停止させる。
【００７５】
また、磁選機起動ボタン３６ｊが押された場合、磁選機用コントロールバルブ３１を図３中上側の切換位置３１Ａに切り換え、磁選機用油圧モータ１３を駆動して磁選機７を起動し、磁選機停止ボタン３６ｋが押されると、磁選機用コントロールバルブ３１を中立位置に復帰させ、磁選機７を停止させる。
【００７６】
なお、破砕装置２及びフィーダ３が動作するときの動作速度は、動作モード選択ダイヤル３６ｎで「マニュアル操作」が選択されているときには前述の破砕装置速度設定ダイヤル３６ｄ及びフィーダ速度設定ダイヤル３６ｇの設定によって決定され、動作モード選択ダイヤル３６ｎで「マニュアル操作」以外のいずれかのモード、すなわち「コンクリート」「アスコン」「自然石」「エコノミー」が選択されている場合にはそれらダイヤル３６ｄ，３６ｅの設定に関係なく、各モードに対応して予めコントローラ４５内に設定記憶されている値に決定される（詳細は後述）。
【００７７】
また、エンジン２１の回転数は、前述したようにコントローラ４５から燃料噴射制御装置５９への制御信号によって制御されるが、操作盤３６の動作モード選択ダイヤル３６ｎで「マニュアル操作」が選択されているときには前述のスロットル装置６０の設定に対応した制御信号がコントローラ４５から出力され、この結果エンジン２１の回転数はスロットル装置６０の設定どおりに決定される。一方、動作モード選択ダイヤル３６ｎで「マニュアル操作」以外のいずれかのモード、すなわち「コンクリート」「アスコン」「自然石」「エコノミー」が選択されている場合には、スロットル装置６０の設定に関係なく、エンジン回転数が各モードに対応して予めコントローラ４５内に設定記憶されている値となるように制御信号が出力される（詳細は後述）。
【００７８】
次に、上述した動作モード選択ダイヤル３６ｎによる選択の結果実現される各動作モードの詳細について説明する。図４は、各動作モードについて設定されている破砕装置２、フィーダ３、エンジン回転数の設定例を表したものである。この図４において、動作モードは、この例では、主として被破砕物（破砕原料）の種類に対応して予め典型的な作業パターンをいくつか設定し、各作業パターンに対し最適な運転条件（フィーダ３の動作速度、破砕装置２の動作速度、エンジン２１の回転数）を組合せて予めコントローラ４５内に設定記憶してあるものである（但し適宜外部入力により修正、あるいは新規追加設定等が可能なようにしてもよい）。この例では、大別して、「コンクリート」「アスコン」「自然石」「エコノミー」の４モードが設定され、さらに「コンクリート」「アスコン」「自然石」の各モードについては、ホッパ１への投入前に別途の作業具で予破砕（子割り）を行っていたかどうかに対応してさらに「小割り有り」「小割り無し」の２つのモードに細分化されている。このように小割りの有無に応じて細分化したのは、予め小割りしてあれば、比較的大量にホッパ１内へ投入してもより詰まりがしょうじにくいのに対し、小割りしてない場合にはあまり大量に投入すると詰まりが生じやすいことによる。
【００７９】
図４において、「小割り有りのコンクリート」モードでは、フィーダ３の速度は比較的大きく（例えば１１００ｃｐｍ程度、以下同様）、破砕装置２の速度は比較的大きく（例えば３００ｒｐｍ程度、以下同様）、エンジン２１の回転数は比較的大きく（例えば２１００ｒｐｍ程度、以下同様）設定され、「小割り無しのコンクリート」モードでは、フィーダ３の速度は中程度（例えば９００ｃｐｍ程度、以下同様）、破砕装置２の速度は比較的大きく、エンジン２１の回転数は比較的大きく設定される。
【００８０】
また「小割り有りのアスコン」モードでは、フィーダ３の速度は中程度、破砕装置２の速度は比較的小さく（例えば２２０ｒｐｍ程度、以下同様）、エンジン２１の回転数は比較的大きく設定され、「小割り無しのアスコン」モードでは、フィーダ３の速度は比較的小さく（例えば７００ｃｐｍ程度、以下同様）、破砕装置２の速度は比較的小さく、エンジン２１の回転数は比較的大きく設定される。
【００８１】
また「小割り有りの自然石」モードでは、フィーダ３の速度は中程度、破砕装置２の速度は中程度（例えば２６０ｒｐｍ程度、以下同様）、エンジン２１の回転数は比較的大きく設定され、「小割り無しの自然石」モードでは、フィーダ３の速度は比較的小さく、破砕装置２の速度は中程度、エンジン２１の回転数は比較的大きく設定される。
【００８２】
また「エコノミー」モードでは、フィーダ３の速度は中程度か比較的小さく、破砕装置２の速度は比較的大きく、エンジン２１の回転数は中程度（例えば１８００ｒｐｍ程度）に設定される。
【００８３】
上記において、エンジン２１、フィーダ３、破砕装置２、コンベア６、磁選機７、及び走行体５等が、各請求項記載の破砕装置を含む少なくとも１つの機器を構成し、コントローラ４５が少なくとも１つの機器の動作モードを設定記憶する設定記憶手段を構成するとともに、選択手段の選択に応じて少なくとも１つの機器を制御する第１の制御手段をも構成し、操作盤３６の動作モード選択ダイヤル３６ｎが、設定記憶手段に設定記憶された動作モードを操作者が選択可能な選択手段を構成する。
【００８４】
次に、上記構成の本実施の形態に係る自走式破砕機の動作を以下に説明する。
【００８５】
（１）自力走行時
自力走行時には、操作者は、操作盤３６の作業選択スイッチ３６ｆで「走行」を選択し、運転席２４ａに搭乗して操作レバー３２ａ，３３ａを前方に操作する。これにより、左・右走行用コントロールバルブ２７，２８が図３中上方の切換位置２７Ａ，２８Ａに切り換えられ、第１油圧ポンプ１９からセンターバイパスライン２２を介し導かれた圧油が左・右走行用油圧モータ１６，１７に供給され、これらが順方向に駆動され、破砕機の両側の無限軌道履帯１４が順方向に駆動されて走行体５が前方へ走行する。
【００８６】
（２）破砕作業時
（２−１）マニュアル操作による運転
上記構成の自走式破砕機において、マニュアル操作による破砕作業時には、操作者は、操作盤３６の作業選択スイッチ３６ｍで「破砕」を選択して走行操作を不可能にした後、動作モード選択ダイヤル３６ｎで「マニュアル操作」を選択する。そして、スロットル装置６０において所定のエンジン回転数を設定し、操作盤３６の破砕装置速度ダイヤル３６ｄ及びフィーダ速度設定ダイヤル３６ｇを所望の設定速度となる位置までまわしつつ、磁選機起動ボタン３６ｊ、コンベア起動ボタン３６ｈ、破砕装置正転起動ボタン３６ａ、及びフィーダ起動ボタン３６ｅを順次押す。
【００８７】
上記の操作により、コントローラ４５から磁選機用コントロールバルブ３１のソレノイド駆動部３１ａへの駆動信号ＳmがＯＮになって磁選機用コントロールバルブ３１が図３中右側の切換位置３１Ａに切り換えられ、またコントローラ４５からコンベア用コントロールバルブ３０のソレノイド駆動部３０ａへの駆動信号ＳconがＯＮになってコンベア用コントロールバルブ３０が図４中右側の切換位置３０Ａに切り換えられる。さらに、コントローラ４５から破砕装置用コントロールバルブ２９のソレノイド駆動部２６ａへの駆動信号ＳcrがＯＮになるとともにソレノイド駆動部２６ｂへの駆動信号ＳcrがＯＦＦになり、破砕装置用コントロールバルブ２６が図３中上側の切換位置２６Ａに切り換えられ、またフィーダ用コントロールバルブ２９のソレノイド駆動部２９ａへの駆動信号ＳfがＯＮになってフィーダ用コントロールバルブ２９が図３中右側の切換位置２９Ａに切り換えられる。
【００８８】
これにより、上記設定した回転数で回転するエンジン２１によって駆動される第２油圧ポンプ２０からの圧油が、センターバイパスライン２３及び分流弁５０を介して各コントロールバルブ２９，３０，３１へ導入され、さらに磁選機用油圧モータ１３、コンベア用油圧モータ１１、及びフィーダ用油圧モータ１０に供給され、磁選機７、コンベア６、及びフィーダ３が起動される。このとき、フィーダ３は前述のフィーダ速度設定ダイヤル３６ｇによる設定に応じた速度で動作する。一方、上記設定した回転数で回転するエンジン２１によって駆動される第１油圧ポンプ１９からの圧油が破砕装置用油圧モータ９に供給されて破砕装置２が正転方向に起動される。このとき、破砕装置２は前述の破砕装置速度設定ダイヤル３６ｄによる設定に応じた速度で動作する。
【００８９】
そして、例えば油圧ショベルのバケットでホッパ１に破砕原料を投入すると、その投入された破砕原料が、フィーダ３において所定粒度以上のもののみが選別されつつ破砕装置２へと導かれ、破砕装置２で所定の大きさに破砕される。破砕された破砕物は、破砕装置２下部の空間からコンベア６上に落下して運搬され、その運搬途中で磁選機７によって破砕物に混入した磁性物（例えばコンクリートの建設廃材に混入している鉄筋片等）が取り除かれ、大きさがほぼ揃えられて、最終的に自走式破砕機の後部（図１中右端部）から搬出される。
【００９０】
（２−２）モード運転
上記構成の自走式破砕機において、動作モードによる破砕作業時には、操作者は、操作盤３６の作業選択スイッチ３６ｍで「破砕」を選択して走行操作を不可能にした後、動作モード選択ダイヤル３６ｎで「小割り有りのコンクリート」「小割り無しのコンクリート」「小割り有りのアスコン」「小割り無しのアスコン」「小割り有りの自然石」「小割り無しの自然石」「エコノミー」のうちこれから行おうとする作業に対応するモードを選択する。
【００９１】
その後、磁選機起動ボタン３６ｊ、コンベア起動ボタン３６ｈ、破砕装置正転起動ボタン３６ａ、及びフィーダ起動ボタン３６ｅを順次押すと、上記（２−１）と同様、磁選機用コントロールバルブ３１、コンベア用コントロールバルブ３０、破砕装置用コントロールバルブ２６、フィーダ用コントロールバルブ２９が切り換えられ、第２油圧ポンプ２０及び第１油圧ポンプ１９からの圧油が磁選機用油圧モータ１３、コンベア用油圧モータ１１、フィーダ用油圧モータ１０、破砕装置用油圧モータ９に供給され、磁選機７、コンベア６、フィーダ３、及び破砕装置２が起動される。このときフィーダ３は、フィーダ速度設定ダイヤル３６ｇの設定に関係なく、上記選択したモードに応じた速度（図４参照）で動作し、破砕装置２についても破砕装置速度設定ダイヤル３６ｄの設定に関係なく選択したモードに応じた速度で動作する。またエンジン２１についてもスロットル装置６０における設定に関係なく、モードに応じた回転数で回転する。
【００９２】
以上説明したように、本発明の自走式破砕機の一実施の形態によれば、例えば通常の運転条件範囲内で使用する限りにおいては、上記（２−２）で説明したモード運転において、操作者がこれから行おうとする破砕作業内容に最も近い適宜の動作モードを選択するだけで、各機器（この例ではフィーダ３、破砕装置２、エンジン２１）の最適動作条件を極めて容易に再現することができる。したがって、最適動作条件再現のために長時間を要していた従来構造と異なり、稼働率を大幅に向上することができる。
【００９３】
なお、上記本発明の一実施の形態においては、モード選択によって実現される各機器（この例ではフィーダ３、破砕装置２、エンジン２１）の動作条件をそのまま用いて運転する場合を例にとって説明したが、これに限られず、モード選択による動作条件に対し、さらに操作盤３６からの適宜の手動操作によって修正・微修正して運転できるようにしてもよい。
【００９４】
また、上記本発明の一実施の形態においては、前述したモード設定の対象機器として、フィーダ３、破砕装置２、及びエンジン２１のみとした場合を例にとって説明したが、これに限られず、その他の機器、例えばコンベア６、磁選機７、走行体５等も対象とし、これらの動作パターンも含めて各モードにおける最適運転条件を設定してもよい。
【００９５】
さらに、上記本発明の一実施の形態においては、モード設定を各被破砕物（破砕原料）の種類及び小割りの有無のみに対応させて設定したが、これに限られない。例えば、被破砕物の大きさ（粒度）、硬さ、異物混入の有無等や、あるいは、その被破砕物を破砕して得たい破砕物の種類、大きさ（粒度）、生産量等の組合せに対応させて動作モードを設定してもよい。
【００９６】
本発明の他の実施の形態を図５及び図６により説明する。
【００９７】
本実施の形態においては、動作モードを設ける代わりに、破砕作業時における各機器の状態量を不揮発性記憶手段に記憶可能としたものである。
【００９８】
図５は、上記本発明の自走式破砕機の他の実施の形態を構成する油圧駆動装置を表す油圧回路図であり、上記本発明の一実施の形態の図３に相当する図である。この図５において、本実施の形態では、上記本発明の一実施の形態の動作モード選択ダイヤル３６ｎを省略するとともに、上記記憶のための書き込み指示を与えるための書き込み指示ボタン３６ｐ、上記記憶したデータ等を読み出し指示を与えるための読み出し指示ボタン３６ｑ、過去に記憶したデータを読み出してそれに基づく運転（以下適宜、読み出し運転という）とするか、通常のマニュアル操作による運転とするかを選択する読み出し運転／マニュアル運転選択スイッチ３６ｒとを設けた操作盤３６′を備えている。その他の構成は図３と同様である。
【００９９】
図６は、本発明の自走式破砕機の他の実施の形態を構成するコントローラ４５′の構成を表す機能ブロック図である。この図５において、４５ａは入力変換制御部、４５ｂはＣＰＵ（中央演算装置）、４５ｃは各種データを一時的に書きこみ・読み出し可能なＲＡＭ、４５ｄは制御プログラムを格納したＲＯＭ、４５ｅは電源停止時にも記憶したデータを保持可能な不揮発性記憶手段としてのＥＥＰＲＯＭ、４５ｆは出力変換制御部である。
【０１００】
入力変換制御部４５ａは、操作盤３６′の前述した各種ボタン３６ａ，３６ｂ，３６ｃ，３６ｅ，３６ｆ，３６ｈ，３６ｉ，３６ｊ，３６ｋ，３６ｍ及び各ダイヤル３６ｄ，３６ｇからの操作信号と、前記スロットル装置６０による前述のエンジン回転数設定信号と、前記回転数センサ５７で検出したエンジン回転数信号を入力するとともにそれらに対し所定の変換（例えばアナログ信号であればＡ／Ｄ変換等）を行うものであり、この種のものとして公知のものである。変換された信号は、ＣＰＵ４５ｂで所定の演算処理が施されて前述の各種コントロールバルブ２６，２９，３０，３１及びソレノイド制御弁４６への前記駆動信号Ｓcr，Ｓf，Ｓcon，Ｓm，Ｓt（但しソレノイド制御弁４６に関しては図示省略）と、燃料噴射制御装置５９への制御信号Ｓeとが生成される。出力変換制御部４５ｆは、それら生成した各種駆動信号に対し所定の変換（例えばＤ／Ａ変換等）を行うこの種のものとして公知のものであり、変換された駆動信号が、対応する各コントロールバルブ２６，２９，３０，３１、ソレノイド制御弁４６、及び燃料噴射制御装置５９に出力される。
【０１０１】
図７は、上記コントローラ４５′の制御機能のうち、本実施の形態の要部である、各機器（フィーダ３、破砕装置２、コンベア６、磁選機７、エンジン２１等）への各種制御信号出力に係わる機能の詳細手順を表すフローチャートである。
【０１０２】
この図７において、まずステップ１０で、ＥＥＰＲＯＭ４５ｅからのデータ読み出しによる運転を行ったかどうかを表す（詳細は後述）フラグＦ＝０とする。
【０１０３】
次に、ステップ２０で、操作者により自走式破砕機のマニュアル操作による運転が選択されているかどうかを判定する。具体的には、操作盤３６の前記読み出し運転／マニュアル運転選択スイッチ３６ｒで「マニュアル操作」（上記本発明の一実施の形態で前述した動作モード選択ダイヤル３６ｎと同等）が選択されているかどうかを判定する。
【０１０４】
操作者が通常のマニュアル操作による運転を意図し「マニュアル操作」が選択されている場合には、判定が満たされ、ステップ３０に移る。
【０１０５】
ステップ３０では、各種操作信号、すなわち、スロットル装置６０のエンジン回転数設定信号や、操作盤３６の破砕装置速度ダイヤル３６ｄ、フィーダ速度設定ダイヤル３６ｇ、磁選機起動ボタン３６ｊ、コンベア起動ボタン３６ｈ、破砕装置正転起動ボタン３６ａ、及びフィーダ起動ボタン３６ｅ等からの操作信号を入力する。その後、ステップ４０で一旦それら入力した操作信号をＲＡＭ４５ｃに格納する。
【０１０６】
ステップ５０では、上記操作信号に基づきＣＰＵ４５ｂで生成した駆動信号（制御信号）Ｓf，Ｓcr，Ｓcon，Ｓm，Ｓeを各コントロールバルブ２６，２９，３０，３１及び燃料噴射制御装置５９に出力する。なおこのとき、制御信号Ｓeの生成にあたっては、前記回転数センサ５７からエンジン回転数検出信号Ｎを入力し、前述したようにこの回転数Ｎと、スロットル装置６０からの操作信号（エンジン設定回転数）との両方に基づいて生成を行う。
【０１０７】
その後、ステップ６０にて、操作者から各操作信号の書き込み指示があったかどうかを判定する。具体的には、前述の操作盤３６の書き込み指示ボタン３６ｐがＯＮされたかどうかを判定する。またこのボタン３６ｐがＯＮされていない場合は判定が満たされず、ステップ２０に戻って同様の手順を繰り返す。操作者が書き込みを意図して書き込み指示ボタン３６ｐを押した場合には、判定が満たされてステップ７０へ移る。
【０１０８】
ステップ７０では、ステップ４０においてＲＡＭ４５ｃに一旦記憶されている各データ、すなわち、ステップ３０において入力した各種操作信号（スロットル装置６０のエンジン回転数設定信号や、操作盤３６の破砕装置速度ダイヤル３６ｄ、フィーダ速度設定ダイヤル３６ｇ、磁選機起動ボタン３６ｊ、コンベア起動ボタン３６ｈ、破砕装置正転起動ボタン３６ａ、及びフィーダ起動ボタン３６ｅ等からの操作信号）のうち、各機器の状態量に係わる信号、すなわち起動・停止等のＯＮＯＦＦといった信号でなく、この例ではスロットル装置６０のエンジン回転数設定値、破砕装置速度ダイヤル３６ｄによる破砕装置２の動作速度の設定値、フィーダ速度設定ダイヤル３６ｇによるフィーダ３の動作速度の設定値をＥＥＰＲＯＭ４５ｅに書き込む。このとき、単純に今回作業時の１回分の各設定値を書き込みのみの機能とする場合には特に不要であるが、今回作業時を含め過去の複数回の設定値を書き込んで保持可能な構成とする場合には、各作業時ごとに設定値群に特に識別子（例えば施工日や施工内容を簡単に付したファイル名、さらには被破砕物の種類、小割りの有無、被破砕物の大きさ（粒度）、硬さ、異物混入の有無等や、その被破砕物を破砕して得たい破砕物の種類、大きさ（粒度）、生産量等を加味してもよい）を付けて書き込むことが好ましい。以上のステップ７０が終了した後、ステップ２０に戻る。
【０１０９】
一方、ステップ２０で、操作盤３６の前記読み出し運転／マニュアル運転選択スイッチ３６ｒで「読み出し運転」が選択されていた場合、判定が満たされず、ステップ８０に移る。ステップ８０では、前記のフラグＦが０であるかどうかを判定する。フラグＦ＝０の場合は判定が満たされ、ステップ９０に移って前記読み出し指示ボタン３６ｑにより過去にＥＥＰＲＯＭ４５ｅに記憶されたデータの読み出し指示があったかどうかを判定する。読み出し指示があった場合はこの判定が満たされ、ステップ１００に移る。
【０１１０】
ステップ１００では、過去にＥＥＰＲＯＭ４５ｅに記憶されたデータ、言い換えれば過去の作業時に前述のステップ６０において書き込まれた、スロットル装置６０のエンジン回転数設定値、破砕装置速度ダイヤル３６ｄによる破砕装置２の動作速度の設定値、フィーダ速度設定ダイヤル３６ｇによるフィーダ３の動作速度の設定値をＥＥＰＲＯＭ４５ｅから読み出し、ステップ１１０に移ってそれらを一旦ＲＡＭ４５ｃに格納する。
【０１１１】
その後、ステップ１２０に移り、各種操作信号、この場合は操作盤３６の磁選機起動ボタン３６ｊ、コンベア起動ボタン３６ｈ、破砕装置正転起動ボタン３６ａ、及びフィーダ起動ボタン３６ｅ等からの操作信号、言い換えれば、エンジン回転数設定信号や、破砕装置速度ダイヤル３６ｄ及びフィーダ速度設定ダイヤル３６ｇで設定した信号といった各機器の状態量に係わる信号でなく、起動・停止等のＯＮＯＦＦ信号を入力する。
【０１１２】
そして、ステップ１３０において、上記ステップ１２０で入力した操作盤３６の磁選機起動ボタン３６ｊ、コンベア起動ボタン３６ｈ、破砕装置正転起動ボタン３６ａ、及びフィーダ起動ボタン３６ｅ等からのＯＮＯＦＦ切換の起動・停止等の操作信号と、前記ステップ１００でＥＥＰＲＯＭ４５ｅから読み出して入力したエンジン回転数設定信号や破砕装置速度ダイヤル３６ｄ及びフィーダ速度設定ダイヤル３６ｇで設定した信号といった各機器の状態量に係わる信号とに基づきＣＰＵ４５ｂで生成した、駆動信号（制御信号）Ｓf，Ｓcr，Ｓcon，Ｓm，Ｓeを各コントロールバルブ２６，２９，３０，３１及び燃料噴射制御装置５９に出力する。なおこのとき、前記ステップ５０と同様、制御信号Ｓeの生成にあたっては、前記回転数センサ５７からエンジン回転数検出信号Ｎを入力し、前述したようにこの回転数Ｎと、ＥＥＰＲＯＭ４５ｃから読み出したエンジン設定回転数信号との両方に基づいて生成を行う。
【０１１３】
その後、ステップ１４０において、ＥＥＰＲＯＭ４５ｅからのデータ読み出しによる運転を行ったかどうかを表す前述のフラグＦ＝１とし、ステップ２０に戻る。
【０１１４】
このようにしてフラグＦ＝１の状態となりステップ８０における判定が満たされない場合、ステップ１５０に移り、再度前記読み出し指示ボタン３６ｑによるデータの読み出し指示があったかどうかを判定する。読み出し指示がない間はステップ１３０に移って前述の駆動信号（制御信号）Ｓf，Ｓcr，Ｓcon，Ｓm，Ｓeを各コントロールバルブ２６，２９，３０，３１及び燃料噴射制御装置５９に出力した後、ステップ１４０以降同様の手順を繰り返す。
【０１１５】
読み出し指示があった場合には、ステップ１００に移り、再度、スロットル装置６０のエンジン回転数設定値、破砕装置速度ダイヤル３６ｄによる破砕装置２の動作速度の設定値、フィーダ速度設定ダイヤル３６ｇによるフィーダ３の動作速度の設定値をＥＥＰＲＯＭ４５ｅから読み出し、ステップ１１０以降、同様の手順を繰り返す。
【０１１６】
上記において、操作盤３６の破砕装置速度ダイヤル３６ｄ及びフィーダ速度設定ダイヤル３６ｇ、及びスロットル装置６０が、各請求項記載の、少なくとも１つの機器の動作状態に係わる状態量を操作者が指示入力する指示入力手段を構成し、操作盤３６の書き込み指示ボタン３６ｐが操作者が不揮発性記憶手段への書き込みを指示する書き込み指示手段を構成し、読み出し指示ボタン３６ｑが操作者が不揮発性記憶手段からの読み出しを指示する読み出し指示手段を構成する。
【０１１７】
また、コントローラ４５′の行う図７に示すフローのステップ５０及びステップ１３０が、指示入力された少なくとも１つの機器の動作状態に係わる状態量に応じて少なくとも１つの機器を制御する第２の制御手段を構成し、またステップ７０が、少なくとも１つの機器の動作状態に係わる状態量を不揮発性記憶手段に書き込む第１データ書き込み手段を構成し、ステップ１００が、不揮発性記憶手段に記憶保持された少なくとも１つの機器の動作状態に係わる状態量を読み出すデータ読み出し処理手段を構成する。
【０１１８】
以上のように構成した本実施の形態の自走式破砕機の動作を以下に説明する。
【０１１９】
（１）マニュアル操作による運転
マニュアル操作による破砕作業時には、前述した本発明一実施の形態の上記（２−１）同様であり、操作者は、操作盤３６の作業選択スイッチ３６ｍで「破砕」、読み出し運転／マニュアル運転選択スイッチ３６ｒで「マニュアル操作」を選択した後、スロットル装置６０において所定のエンジン回転数を設定し、操作盤３６の破砕装置速度ダイヤル３６ｄ及びフィーダ速度設定ダイヤル３６ｇを所望の設定速度となる位置までまわしつつ、磁選機起動ボタン３６ｊ、コンベア起動ボタン３６ｈ、破砕装置正転起動ボタン３６ａ、及びフィーダ起動ボタン３６ｅを順次押す。これにより、図７におけるステップ１０を経てステップ２０の判定が満たされてステップ３０、ステップ４０を経て、ステップ５０にて、コントローラ４５′から各コントロールバルブ３１，３０，２６，２９への駆動信号ＳmがＯＮになって磁選機７、コンベア６、破砕装置２、及びフィーダ３が起動され、フィーダ３及び破砕装置２はそれぞれフィーダ速度設定ダイヤル３６ｇ及び破砕装置速度設定ダイヤル３６ｄによる設定に応じた速度で動作する。またエンジン２１はスロットル装置６０の設定に応じた回転数で回転駆動する。
【０１２０】
操作者が操作盤３６の書き込み指示ボタン３６ｐを押さない間は、ステップ６０からステップ２０に戻ってステップ２０〜ステップ６０が繰り返され、例えば操作者が自走式破砕機の各部動作状況や作業進捗状況を目視等で確認しつつ、手動操作でスロットル装置６０、破砕装置速度ダイヤル３６ｄ、及びフィーダ速度設定ダイヤル３６ｇが最もその作業に適した状態となるように調整すると、その操作量がステップ３０にて入力されステップ５０でそれに応じた信号が出力され、各機器はその信号に応じた速度・回転数で動作する。
【０１２１】
このように適宜調整することにより当該作業について各機器の速度・回転数に最も適した状態が実現したら、操作者は、適宜のタイミングで、操作盤３６の書き込み指示ボタン３６ｐを押す。これにより、ステップ６０を経てステップ７０において、その最適状態に対応する各機器の状態量指令値、すなわち、スロットル装置６０、破砕装置速度ダイヤル３６ｄ、及びフィーダ速度設定ダイヤル３６ｇの操作量（指令値）がＥＥＰＲＯＭ４５ｃに入力される。
【０１２２】
（２）読み出し運転
読み出し運転による破砕作業時には、操作者は、操作盤３６の作業選択スイッチ３６ｍで「破砕」、読み出し運転／マニュアル運転選択スイッチ３６ｒで「読み出し運転」を選択した後、読み出し指示ボタン３６ｑを押す。これにより、図７におけるステップ２０の判定が満たされずステップ８０及びステップ９０を経て、ステップ１００において、上記（１）のようにして既にＥＥＰＲＯＭ４５ｅに記憶保持されている各機器の動作に係わる状態量（この例では、エンジン回転数、破砕装置速度、フィーダ速度）を読み出しステップ１１０でＲＡＭ４５ｃへ格納する。
【０１２３】
その後、操作者が操作盤３６の磁選機起動ボタン３６ｊ、コンベア起動ボタン３６ｈ、破砕装置正転起動ボタン３６ａ、及びフィーダ起動ボタン３６ｅを順次押すことにより、ステップ１２０を経てステップ１３０においてコントローラ４５′から各コントロールバルブ３１，３０，２６，２９への駆動信号ＳmがＯＮになって磁選機７、コンベア６、破砕装置２、及びフィーダ３が起動され、フィーダ３及び破砕装置２はそれぞれステップ１００でＥＥＰＲＯＭ４５ｅから読み込んだ過去のフィーダ速度設定ダイヤル３６ｇ及び破砕装置速度設定ダイヤル３６ｄの速度設定に応じた速度で動作する。またエンジン２１はＥＥＰＲＯＭ４５ｅから読み込んだ過去のスロットル装置６０の設定に応じた回転数で回転駆動する。
【０１２４】
なお、このようにしてＥＥＰＲＯＭ４５ｅから読み込んだ状態量に基づいて各機器を動作させた後において、再度読み出し指示ボタン３６ｑを押すまでの間は、ステップ１４０でフラグＦ＝１となっていることから、ステップ２０からステップ８０→ステップ１５０→ステップ１３０と移り、以降同様の手順を繰り返す。再度読み出し指示ボタン３６ｑが押されたら、ステップ１５０からステップ１００に移り、ステップ１００及びステップ１１０で状態量データがＥＥＰＲＯＭ４５ｅから再度読み込まれて更新され、フィーダ３、破砕装置２、エンジン２１はその更新されたフィーダ速度設定ダイヤル３６ｇ及び破砕装置速度設定ダイヤル３６ｄの速度設定及びスロットル装置６０の設定に応じた回転数で回転駆動する。
【０１２５】
以上説明したように、本実施の形態においては、ある破砕作業中、当該作業について各機器の速度・回転数に最も適した状態が実現したら、操作者がフィーダ速度設定ダイヤル３６ｇ、破砕装置速度設定ダイヤル３６ｄ、スロットル装置６０を介して手動で設定したフィーダ３の動作速度、破砕装置２の動作速度、及びエンジン２１の回転数を、操作盤３６の書き込み指示ボタン３６ｐを押すことによって随時ＥＥＰＲＯＭ４５ｅに書き込むことができ、その後電源が停止したときにもこの各状態量は保持される。そして、この書き込んだデータを、その後読み出し指示ボタン３６ｑを押すことで随時読み出すことができる。
【０１２６】
これにより、以降、新たに破砕作業を開始しようとするとき、既にＥＥＰＲＯＭ４５ｅに保持記憶されているものの中から当該作業と被破砕物及び破砕物の種類等の作業条件等が同等のものがあれば、それをＥＥＰＲＯＭ４５ｅから読み出して今回作業における各機器の動作速度をそれに沿って制御することにより、各機器の最適動作条件を極めて容易に再現することができる。したがって、最適動作条件再現のために長時間を要していた従来構造と異なり、稼働率を大幅に向上することができる。
【０１２７】
なお、上記本発明の他の実施の形態においては、前述したＥＥＰＲＯＭ４５ｅへの記憶対象となる状態量データとして、フィーダ３及び破砕装置２の動作速度、エンジン２１の回転数のみを対象とした場合を例にとって説明したが、これに限られず、その他の機器、例えばコンベア６、磁選機７、走行体５等も対象とし、これらの動作速度等も併せてＥＥＰＲＯＭ４５ｅに記憶するようにしてもよい。
【０１２８】
また、上記本発明の他の実施の形態においては、各機器の動作状態を表す状態量をＥＥＰＲＯＭ４５ｅに記憶させたが、これに限られず、他の不揮発性記憶手段、例えばいわゆるフラッシュメモリに記憶させても良い。さらに、外部記憶手段に記憶させるようにしても良い。そのような変形例を図８及び図９により説明する。
【０１２９】
図８は、本変形例を構成するコントローラ４５″の構成を表す機能ブロック図であって、上記本発明の自走式破砕機の他の実施の形態の図６に相当する図であり、図９は各機器への制御信号出力に係わる機能の詳細手順を表すフローチャートであって、上記本発明の自走式破砕機の他の実施の形態の図７に相当する図である。それら図６及び図７と同等の部分には同一の符号を付している。
【０１３０】
図８において、本変形例では、ＥＥＰＲＯＭ４５ｅの代わりに、コントローラ４５″内に外部記録装置６１とデータの入出力（授受）を行う入出力制御部４５ｇを設けている。外部記録装置６１は、例えば磁気ディスクドライブあるいはＣＤドライブ等であり、これを介して磁気ディスクやＣＤ等の外部記録媒体に、データを書き込み／読み出しできるようになっている。
【０１３１】
図９においては、図７のステップ７０及びステップ１００においてＥＥＰＲＯＭ４５ｅにデータ書き込み及びデータ読み出しを行うのに代えて、ステップ７０Ａ及びステップ１００Ａにおいて前述した操作盤３６′の書き込み指示ボタン３６ｐ及び読み出し指示ボタン３６ｑからの指示に応じて、Ｆ／Ｄ又はＣＤ等にデータ書き込み及びデータ読み出しを行うようになっている。
【０１３２】
その他の点は、上記本発明の他の実施の形態と同様である。
【０１３３】
上記において、操作盤３６の書き込み指示ボタン３６ｐが操作者が外部記録媒体への書き込みを指示する書き込み指示手段を構成し、読み出し指示ボタン３６ｑが操作者が外部記録媒体からの読み出しを指示する読み出し指示手段を構成する。また、コントローラ４５″の行う図９に示すフローのステップ７０Ａ及び外部記録装置６１が、少なくとも１つの機器の動作状態に係わる状態量を外部記録媒体に書き込む第２データ書き込み手段を構成し、ステップ１００Ａ及び外部記録装置６１が、外部記録媒体に記憶保持された少なくとも１つの機器の動作状態に係わる状態量を読み出すデータ読み出し処理手段を構成する。
【０１３４】
本変形例においても、上記本発明の他の実施の形態と同様の効果を得る。
またこれに加え、本変形例においては、１人のユーザが複数台の自走式破砕機において同様の作業を行う場合に、共通の１つの記録媒体から各機体にデータをダウンロードすることにより、複数の機体に対し共通にデータを使用し各機器の最適動作条件を容易に再現できる。さらにこの記録媒体を通じて別のユーザの機体にも適用可能となる。この場合、例えば当該ユーザにとっては初めて行う作業内容であっても、過去の他のユーザにより既に蓄積されたその作業にとっての各機器の最適動作条件を直ちに実現できる。したがって、各顧客毎に試行錯誤を繰り返して最適動作条件を模索していた従来に比べ、生産性を大幅に向上することができる。
【０１３５】
図１０は、本発明の自走式破砕機のさらに他の実施の形態を用いた破砕システムの全体概要図である。この図１０において、１０１は機体側コントローラ４５″′（詳細は後述）を搭載した本実施の形態による自走式破砕機、１０２は前記自走式破砕機１０１の稼動現場から例えば電波の届く範囲に設置された中継局、１０３は情報処理機能及び双方向通信機能を備えた自走式破砕機１０１の管理装置としてのサーバである。自走式破砕機１０１は、後述のように前記コントローラ４５″′によって前記サーバ１０３と情報通信を介したデータ授受を行えるのが大きな特徴であり、それ以外の機能及び構成については、上記本発明の他の実施の形態による自走式破砕機とほぼ同様であるため、説明を省略する。前記の中継局１０２と前記サーバ１０３とはそれぞれインターネットを介し接続されている。
【０１３６】
また、図１０において、１０４は、ブーム１０４ａ、アーム１０４ｂ、バケット１０４ｃ、運転室１０４ｄ、走行装置１０４ｅを備え、被破砕物を自走式破砕機１０１に投入する自走式投入機械（この例では油圧ショベル）であり、例えば積み込み容易性確保のため自走式破砕機１０１より高所に配置されている。
【０１３７】
なお、例えば、油圧ショベル１０４は、前記の自走式破砕機１０１の機体側コントローラ４５″′と情報通信を介し（直接電波授受あるいは適宜通信衛星等を介しても良い）データ送受信可能とし、後述するように、自走式破砕機１０１側の各機器の動作状態に係わる状態量データの少なくとも一部が油圧ショベル１０４の運転室１０４ｄ内の表示手段に表示されるようにしてもよい。さらにこのとき、後述するサーバ１０３内データベースからの各機器状態量の受信読み出しあるいは送信書き込み（登録）の指示を、その油圧ショベル運転室１０４ｄ内に設けた適宜の指示手段で指示するようにしてもよい。また油圧ショベル１０４に代えて、ホイルローダやベルトコンベアを使って積み込みを行っても良いことは言うまでもない。
【０１３８】
本実施の形態の最も大きな特徴は、上記本発明の他の実施の形態やその変形例において自走式破砕機内各機器（フィーダ３、破砕装置２、エンジン２１等）の各種状態量データをＥＥＰＲＯＭ、あるいは磁気ディスクやＣＤ−ＲＯＭ等に書き込み／読み出しを行っていたのに対し、その状態量データを前記機体側コントローラ１０２を介して情報通信によってサーバ１０３のデータベースに書き込み／読み出しを行うことにある。以下、その内容を順を追って詳細に説明する。
【０１３９】
図１において、各自走式破砕機１０１の前記機体側コントローラ４５″′は前述したように自走式破砕機１０１の各機器（フィーダ３、破砕装置２、エンジン２１等）の各種状態量データ（詳細は後述）を収集するためのものであり、その収集した状態量データは機体データ（機種、号機番号等）と共に中継局１０２に送られ、中継局１０２からサーバ１０３へと送信される。
【０１４０】
図１１は、機体側コントローラ４５″′の詳細構成を表す機能ブロック図であり、上記本発明の他の実施の形態及びその変形例のコントローラ４５′，４５″の機能ブロック図である前述の図６及び図８に対応する図である。この図１１において、コントローラ４５″′は、前述のコントローラ４５′，４５″のＥＥＰＲＯＭ４５ｅや入出力制御部４５ｇに代えて、情報通信を介してインターネットへデータの入出力を行うための入出力インターフェース（Ｉ／Ｏ）４５ｈを備えている。その他の構成はコントローラ４５″とほぼ同様である。
【０１４１】
図１２は、サーバ１０３の詳細構成を表す機能ブロック図である。この図１２において、サーバ１０３は、ＣＰＵ１０３ａと、制御プログラムを格納したＲＯＭ１０３ｂと、入出力インターフェース（Ｉ／Ｏ）１０３ｃと、データベース１３０ｄを形成する記憶装置とを備えている（なおデータベースはサーバ１０３とは別の外部記憶装置内に設けてもよい）。またこのとき、上記サーバ１０３には、表示手段１０５及び入力用のキーボード１０６が接続されている。
【０１４２】
前記サーバ１０３の入出力インターフェース１０３ｃは、自走式破砕機１０１の前記機体側コントローラ４５″′からの各機器の状態量データを受信し入力する（後述の図１３のステップ７０Ｂ参照）。ＣＰＵ１０３ａはそれらの入力データの束に所定のデータを添付して掲載データファイル１０７を作成し（詳細は後述）記憶装置のデータベース１０３ｄに格納、蓄積するとともに、例えば前記キーボード１０６の操作入力に応じその受信した状態量データの内容を入出力インターフェース１０３ｃを介し上記表示手段１０５に表示させる。またＣＰＵ１０３ａは例えば前記キーボード１０６の操作入力に応じて既に記憶装置のデータベース１０３ｄに格納、蓄積された掲載データファイル１０７から各機器の状態量データを読み出し、これを入出力インターフェース１０３ｃを介し上記自走式破砕機１０１の前記機体側コントローラ４５″′へ送信する（後述の図１３のステップ１００Ｂ参照）。
【０１４３】
図１３は、前記機体側コントローラ４５″′の制御機能の要部詳細手順を表すフローチャートであり、上記本発明の他の実施の形態の図７、さらに他の実施の形態の図９にほぼ相当する図である。それらと同等の手順には同一のステップ番号を付し、説明を省略している。
【０１４４】
図１３において、このフローでは、まず、図７や図９におけるステップ６０及びステップ７０（ステップ７０Ａ）に代えてステップ６０Ｂ及びステップ７０Ｂを設けている。
【０１４５】
ステップ６０Ｂにおいては、サーバへ送信するための送信指示指令があったかどうかを判定する。具体的には、前記キーボード１０６において、操作者からそのときの各機器の状態量（前述したように例えばフィーダ動作速度、破砕装置動作速度、エンジン回転数等）を掲載データファイルとして登録するよう指示があったかどうかを判定する。
【０１４６】
図１４は、このときの表示手段１０５に表示される登録指示用の画面１０８を示している。この図１４において、この画面１０８は、上記現在の各機器の状態量とともにファイリングする掲載データファイルを操作者が手動入力する画面である。
【０１４７】
１０８Ａは、破砕対象入力領域であり、現在破砕作業を行っている破砕対象（被破砕物）の種類に応じて、図示のように、「コンクリートガラ」「アスコンガラ」「自然石」の３つの中からクリックして選択入力するようになっている。特に「自然石」を選択した場合には、さらにその硬さ（kgf/mm2）を「１５００以下」「１５００を超え３０００以下」「３０００を超え５０００以下」「５０００超」の４つの範囲からクリックして選択入力するようになっている。
【０１４８】
１０８Ｂは、小割状況入力領域であり、現在破砕作業を行っている破砕対象（被破砕物）の小割状況（mm単位）に応じて、図示のように、「２００φ程度」「４００φ程度」「６００φ程度」「６００以上」「未処理」の５つの中からクリックして選択入力するようになっている。
【０１４９】
１０８Ｃは、混入異物入力領域であり、現在破砕作業を行っている破砕対象（被破砕物）の異物混入状況に応じて、図示のように、「鉄筋」「玉石」「ずり」「その他」の４つの中からクリックして選択入力するようになっている。但し、混入異物がほとんどない場合にはどれも選択しなくてもよいことは言うまでもない。
【０１５０】
１０８Ｄは、生産物入力領域であり、現在行っている破砕作業で生産している物の大きさ状況（mm単位）に応じて、図示のように、「５以下」「５を超え１３以下」「１３を超え２５以下」「２５を超え４０以下」「４０を超え６０以下」「６０を超え８０以下」「８０超」の７つの中からクリックして選択入力するようになっている。
【０１５１】
１０８Ｅは、生産量入力領域であり、現在行っている破砕作業で生産している量の状況（ｔ／ｈ単位）に応じて、図示のように、「２０程度」「４０程度」「６０程度」「１００程度」「２００程度」「２００以上」の６つの中からクリックして選択入力するようになっている。
【０１５２】
１０８Ｆは、機種入力領域であり、現在使用している自走式破砕機の機種を、例えば図示のように、「機種Ａ」「機種Ｂ」「機種Ｃ」の３つの中からクリックして選択入力するようになっている。なおこの機種ラインナップは、例えば、仕様、破砕能力、機体の大きさ等が互いに異なるものが予め設定されている。
【０１５３】
１０８Ｇは、ジョークラッシャである破砕装置２における、前述の動歯の山から固定歯の谷間での設定間隙寸法のセット値入力領域であり、現在行っている破砕作業でのセット状況（mm単位）に応じて、図示のように、「２０」「２５」「３０」「３５」「４０」「５０」「６０」「８０」「８０以上」の９つの中からクリックして選択入力するようになっている。
【０１５４】
１０８Ｈは、付帯設備入力領域であり、現在行っている破砕作業で使用している付帯設備に応じて、図示のように、「スクリーン」「ズリ抜きコンベア」「２次処理機（２次破砕機）」の３つの中からクリックして選択入力するようになっている。特に「スクリーン」を選択した場合には、さらにその目開きサイズ（mm単位）を「５」「１３」「２５」「４０」「４０以上」の５つの範囲からクリックして選択入力するようになっている。
【０１５５】
１０８Ｉは、ファイル名入力領域であり、上記領域１０８Ａ〜１０８Ｈで選択／入力した内容にファイル名称を適宜設定入力するようになっている。図示の例では、作業内容を簡潔に表した「ぐり石、４０アンダ、粗破砕」というファイル名称を設定入力した例を示している。
【０１５６】
なお、以上の領域１０８Ａ〜１０８Ｉにおいて、図示のように各選択要素には選択用の例えば白丸印が設けてあり、クリックして選択すると反転して例えば黒丸表示するようになっている。
【０１５７】
１０８Ｊは、登録指示（送信書き込み指示）ボタンである。
【０１５８】
図１３に戻り、この登録指示ボタン１０８Ｊをクリックすることにより、前述のステップ６０Ｂにおける判定が満たされ、ステップ７０Ｂに移る。
【０１５９】
ステップ７０Ｂでは、機内側コントローラ４５″′は、そのときの各機器の状態量（フィーダ動作速度、破砕装置動作速度、エンジン回転数等）をＩ／Ｏ４５ｈによってインターネットを介しサーバ１０３に送信する。これを受けて、サーバ１０３は、前述したように、ＣＰＵ１０３ａにて上記操作端末画面１０８の入力内容に受信した状態量データの束を添付して掲載データファイルを作成し（言い換えれば状態量データにファイル名をつけて）、記憶装置のデータベース１０３ｄに格納、蓄積（＝登録）する。なお、例えば前記キーボード１０６の適宜の操作入力に応じ受信した状態量データの内容を入出力インターフェース１０３ｃを介し上記表示手段１０５に表示させてもよい。
【０１６０】
一方、図１３において、このフローではさらに、先の図７や図９におけるステップ９０、ステップ１００（ステップ１００Ａ）、ステップ１５０に代えてステップ９０Ｂ、ステップ１００Ｂ、ステップ１５０Ｂを設けている。ステップ９０Ｂにおいては、サーバより受信するための受信指示指令があったかどうかを判定する。具体的には、前記キーボード１０６において、そのとき操作者側でデータベース１０３ｄより読み出している掲載データファイル中の各機器の状態量（フィーダ動作速度、破砕装置動作速度、エンジン回転数等）を、今回作業時の各機器制御用の状態量データとして受信するよう指示があったかどうかを判定する。
【０１６１】
図１５は、このときの表示手段１０５に表示される受信指示用の画面１０９を示している。この図１５において、この画面１０９は、現在前記データベース１０３ｄに登録されている（格納保持されている）掲載データファイルの主な内容を一覧表示させた画面である。
【０１６２】
この一覧表示において、１０９Ａは破砕対象表示部であり、先に図１４に示した画面１０８の破砕対象入力領域１０８Ａに対応し、各掲載データファイルごとに、破砕対象（被破砕物）の種類に応じ「コンクリートガラ」「アスコンガラ」「自然石」等を表示するようになっている。
【０１６３】
１０９Ｂは小割状況表示部であり、上記同様、先の図１４に示した画面１０８の小割状況入力領域１０８Ｂに対応し、各掲載データファイルごとに、破砕対象（被破砕物）の小割状況に応じて、図示のように、「２００φ程度」「４００φ程度」「６００φ程度」「６００以上」「未処理」等を表示するようになっている。
【０１６４】
１０９Ｃは混入異物表示部であり、画面１０８の混入異物入力領域１０８Ｃに対応し、各掲載データファイルごとに、破砕対象（被破砕物）の異物混入状況に応じて、「鉄筋」「玉石」「ずり」「その他」等を表示するようになっている。但し、混入異物がほとんどない場合には何も表示されない。
【０１６５】
１０９Ｄは硬さ表示部であり、画面１０８の破砕対象入力領域１０８Ａで破砕対象として「自然石」を選択した場合にさらにその硬さを入力したのに対応し、各掲載データファイルごとに、「１５００以下」「１５００を超え３０００以下」「３０００を超え５０００以下」「５０００超」等を表示するようになっている。
【０１６６】
１０９Ｅは生産物表示部であり、画面１０８の生産物入力領域１０８Ｄに対応し、各掲載データタファイルごとに、破砕作業における生産物（破砕物）の大きさに応じて、「５以下」「５を超え１３以下」「１３を超え２５以下」「２５を超え４０以下」「４０を超え６０以下」「６０を超え８０以下」「８０超」等を表示するようになっている。
【０１６７】
１０９Ｆは生産量表示部であり、画面１０８の生産量入力領域１０８Ｅに対応し、各掲載データファイルごとに、破砕作業における破砕物生産量に応じて、「２０程度」「４０程度」「６０程度」「１００程度」「２００程度」「２００以上」等を表示するようになっている。
【０１６８】
１０９Ｇは機種表示部であり、画面１０８の機種入力領域１０８Ｆに対応し、各掲載データファイルごとに、その破砕作業において使用した自走式破砕機について、「機種Ａ」「機種Ｂ」「機種Ｃ」等を表示するようになっている。
【０１６９】
１０９Ｉは、付帯設備表示部であり、画面１０８の付帯設備入力領域１０８Ｈに対応し、各掲載データファイルごとに、その破砕作業で使用した付帯設備に応じて、「スクリーン」「ずり抜きコンベア」「２次処理機（２次破砕機）」等を表示するようになっている。特に付帯設備としてスクリーンを使用した場合には、さらにそのとき使用した目開きサイズに応じ、目開きサイズ表示部１０９Ｈに「５」「１３」「２５」「４０」「４０以上」等が表示されるようになっている。
【０１７０】
１０９Ｊはセット値表示部であり、画面１０８のセット値入力領域１０８Ｇに対応し、各掲載データファイルごとに、その破砕作業での破砕装置２の動歯の山から固定歯の谷間での設定間隙寸法セット値に応じて、「２０」「２５」「３０」「３５」「４０」「５０」「６０」「８０」「８０以上」等を表示するようになっている。
【０１７１】
なお、以上では表示しなかったが、各掲載データファイルごとに、先の図１４で示した画面１０８のファイル名入力領域１０８Ｉに対応し、そのファイル名を画面１０９上に表示させてもよいことは言うまでもない。
【０１７２】
１０９Ｋは、各機器の動作状態に係わる状態量（＝稼動条件）をサーバデータベース１０３ｄから読み出し機体コントローラ４５″′側で受信するための読み出し受信指示ボタンである。この読み出し受信指示ボタン１０９Ｋをクリックすることにより、サーバ１０３は、クリックされた掲載データファイル中に含まれる各機器の状態量（フィーダ動作速度、破砕装置動作速度、エンジン回転数等）を、Ｉ／Ｏ１０３ｃによってインターネットを介し機体側コントローラ４５″′に送信する。なおこのとき、その状態量の内容を一旦適宜の画面あるいは割り込みウィンドウ等にて表示手段１０５に表示させた後、例えば前記キーボード１０６の適宜の操作入力に応じて機体側コントローラ４５″′に送信するようにしてもよい。
【０１７３】
ここで前述の図１３に戻り、機体側コントローラ４５″′においては、前記読み出し受信指示ボタン１０９Ｋをクリックすることにより、前述のステップ９０Ｂ又はステップ１５０Ｂにおける判定が満たされ、ステップ１００Ｂに移る。
【０１７４】
ステップ１００Ｂでは、サーバ１０３から送信されてきた前記掲載データファイル中に含まれる各機器の状態量（フィーダ動作速度、破砕装置動作速度、エンジン回転数等）を、Ｉ／Ｏ４５ｈによってインターネットを介し受信する。そしてこの受信データを次のステップ１１０でＲＡＭ４５ｃに格納し以降の制御に用いる。
【０１７５】
上記において、サーバ１０３が各請求項記載の外部端末を構成する。また、機体側コントローラ４５″′の行う図１３に示すフローのステップ７０Ｂが、少なくとも１つの機器の動作状態に係わる状態量を情報通信を介し外部端末に送信するデータ送信処理手段を構成し、ステップ１００Ｂが、外部端末より前記少なくとも１つの機器の動作状態に係わる状態量を情報通信を介し受信するデータ受信処理手段を構成し、ステップ５０及びステップ１３０が、指示入力された少なくとも１つの機器の動作状態に係わる状態量に応じて少なくとも１つの機器を制御する第３の制御手段を構成する。
【０１７６】
また、表示手段１０５の画面１０８における登録ボタン１０８Ｊが、操作者が外部端末への送信を指示する送信指示手段を構成し、画面１０９における読み出し受信指示ボタン１０９Ｋが、操作者が外部端末からの受信を指示する受信指示手段を構成する。
【０１７７】
次に、上記本発明のさらに他の実施の形態の動作を以下に説明する。
【０１７８】
（１）マニュアル操作による運転
マニュアル操作による破砕作業時には、上記本発明の他の実施の形態の上記（１）とほぼ同様であり、操作者（機体側操作者）は、操作盤３６の作業選択スイッチ３６ｍで「破砕」、読み出し運転／マニュアル運転選択スイッチ３６ｒで「マニュアル操作」を選択した後、スロットル装置６０において所定のエンジン回転数を設定し、操作盤３６の破砕装置速度ダイヤル３６ｄ及びフィーダ速度設定ダイヤル３６ｇを所望の設定速度となる位置までまわしつつ、磁選機起動ボタン３６ｊ、コンベア起動ボタン３６ｈ、破砕装置正転起動ボタン３６ａ、及びフィーダ起動ボタン３６ｅを順次押す。これにより、図１３におけるステップ５０にて、機体側コントローラ４５″′から各コントロールバルブ３１，３０，２６，２９への駆動信号ＳmがＯＮになって磁選機７、コンベア６、破砕装置２、及びフィーダ３が起動され、フィーダ３及び破砕装置２はそれぞれフィーダ速度設定ダイヤル３６ｇ及び破砕装置速度設定ダイヤル３６ｄによる設定に応じた速度で動作する。またエンジン２１はスロットル装置６０の設定に応じた回転数で回転駆動する。
【０１７９】
当該作業について各機器の速度・回転数に最も適した状態が実現したら、適宜のタイミングで操作者（サーバ側の操作者）は、サーバ１０３に併設した表示手段１０５に登録指示用の画面１０８を表示させ、この画面中の各領域１０８Ａ〜１０８Ｉに当該作業の内容に応じて選択／入力を行った後、登録指示ボタン１０８Ｊをクリックする。これにより、ステップ６０Ｂを経てステップ７０Ｂにおいて、その最適状態に対応する各機器の状態量指令値、すなわち、スロットル装置６０、破砕装置速度ダイヤル３６ｄ、及びフィーダ速度設定ダイヤル３６ｇの操作量（指令値）が機内側コントローラ４５″′からサーバ１０３に送信され、サーバ１０３は、画面１０８の入力内容に受信した状態量データの束を添付して掲載データファイルを作成しデータベース１０３ｄに格納、蓄積（＝登録）する。
【０１８０】
（２）読み出し運転
読み出し運転による破砕作業時には、予め操作盤３６の作業選択スイッチ３６ｍで「破砕」、読み出し運転／マニュアル運転選択スイッチ３６ｒで「読み出し運転」を選択した状態にしておいて、操作者（サーバ側）が、サーバ１０３に併設した表示手段１０５に受信指示用の画面１０９を表示させ、この画面中に一覧表示された各掲載データファイルリストの中から、今から行おうとする破砕作業の内容に合致するもの（なるべく近いもの）を選択し、対応する受信指示ボタン１０９Ｋをクリックする。これにより、図１３におけるステップ１００Ｂにおいて、選択したファイルの各機器の動作に係わる状態量（この例では、エンジン回転数、破砕装置速度、フィーダ速度）を読み出してサーバ１０３から受信しステップ１１０でＲＡＭ４５ｃへ格納する。
【０１８１】
その後、操作者が操作盤３６の磁選機起動ボタン３６ｊ、コンベア起動ボタン３６ｈ、破砕装置正転起動ボタン３６ａ、及びフィーダ起動ボタン３６ｅを順次押すことにより、ステップ１３０において磁選機７、コンベア６、破砕装置２、及びフィーダ３が起動され、フィーダ３及び破砕装置２はサーバ１０３から受信した選択ファイル状態量データのフィーダ速度設定ダイヤル３６ｇ及び破砕装置速度設定ダイヤル３６ｄの速度設定にて動作する。またエンジン２１はその受信した状態量データの設定に応じた回転数で回転駆動する。
【０１８２】
なお、このようにしてサーバ１０３より読み込んだ状態量に基づいて各機器を動作させた後において、再度受信指示ボタン１０９Ｋがクリックされたら、ステップ１５０Ｂを経てステップ１００Ｂ及びステップ１１０で状態量データがサーバ１０３から再度読み込まれて更新され、フィーダ３、破砕装置２、エンジン２１はその更新されたフィーダ速度設定ダイヤル３６ｇ及び破砕装置速度設定ダイヤル３６ｄの速度設定及びスロットル装置６０の設定に応じた回転数で回転駆動する。
【０１８３】
以上説明したように、本実施の形態においては、ある破砕作業中、当該作業について各機器の速度・回転数に最も適した状態が実現したら、操作者（機体側）がフィーダ速度設定ダイヤル３６ｇ、破砕装置速度設定ダイヤル３６ｄ、スロットル装置６０を介して手動で設定したフィーダ３の動作速度、破砕装置２の動作速度、及びエンジン２１の回転数を、サーバ１０３側の表示手段１０５に表示した画面１０８の登録指示ボタン１０８Ｊをクリックすることによって随時掲載データファイルとしてサーバデータベース１０３ｄに格納保持することができる。そして、この格納された掲載データファイル中のフィーダ３の動作速度、破砕装置２の動作速度、及びエンジン２１の回転数を、その後画面１０９の読み出し受信指示ボタン１０９Ｋをクリックすることで随時読み出すことができる。
【０１８４】
これにより、以降、新たに破砕作業を開始しようとするとき、既にデータベース１０３ｄに掲載データファイルとして保持記憶されているものの中から当該作業と被破砕物及び破砕物の種類等の作業条件等が同等のものがあれば、それを読み出して今回作業における各機器の動作速度をそれに沿って制御することにより、各機器の最適動作条件を極めて容易に再現することができる。したがって、最適動作条件再現のために長時間を要していた従来構造と異なり、稼働率を大幅に向上することができる。
またこれに加え、本実施の形態においては、上記本発明の他の実施の形態の変形例と同様、１人のユーザが複数台の自走式破砕機において同様の作業を行う場合に、共通のサーバ１０３から各機体にデータをダウンロードすることにより、複数の機体に対し共通にデータを使用し各機器の最適動作条件を容易に再現できる。あるいは別のユーザの機体にも適用可能となる。この場合、例えば当該ユーザにとっては初めて行う作業内容であっても、過去の他のユーザにより既に蓄積されたその作業にとっての各機器の最適動作条件を直ちに実現できる。したがって、各顧客毎に試行錯誤を繰り返して最適動作条件を模索していた従来に比べ、生産性を大幅に向上することができる。
【０１８５】
なお、上記本発明のさらに他の実施の形態においては、前述したサーバ１０３側へ送信し掲載データファイル化する状態量データとして、フィーダ３及び破砕装置２の動作速度、エンジン２１の回転数のみを対象とした場合を例にとって説明したが、これに限られず、その他の機器、例えばコンベア６、磁選機７、走行体５等も対象とし、これらの動作速度等も併せて掲載データファイル化するようにしてもよい。
【０１８６】
また、上記本発明の他の実施の形態、その変形例、及び本発明のさらに他の実施の形態においては、ＥＥＰＲＯＭ４５ｅ、磁気ディスク、ＣＤ−ＲＯＭ、サーバデータベース１０３ｄ内のデータファイルから読み出した各機器（この例ではフィーダ３、破砕装置２、エンジン２１）の動作条件をそのまま用いて運転する場合を例にとって説明したが、これに限られず、読み出した動作条件に対し、さらに操作盤３６からの適宜の手動操作（あるいはさらに他の実施の形態については外部端末１０６側の操作からも含む）によって修正・微修正し運転できるようにしてもよい。これらの場合も同様の効果を得る。
【０１８７】
さらに、上記本発明の他の実施の形態、その変形例、及び本発明のさらに他の実施の形態においては、ある作業についての最適動作条件を実現したとき、そのときの各操作手段からの指示値（操作量）、すなわち操作盤３６の破砕装置速度ダイヤル３６ｄ、フィーダ速度設定ダイヤル３６ｇ、及びスロットル装置６０の設定値を、ＥＥＰＲＯＭ４５ｅ、磁気ディスク、ＣＤ−ＲＯＭ、サーバデータベース１０３ｄ内のデータファイル等に書き込むようにしたが、これに限られない。すなわち、破砕装置２の動作速度検出手段、フィーダ３の動作速度検出手段、エンジン回転数検出手段を別途設け、上記のように最適動作条件が実現したとき、それら検出手段からの検出値自体をＥＥＰＲＯＭ４５ｅ、磁気ディスク、ＣＤ−ＲＯＭ、サーバデータベース１０３ｄ内のデータファイル等に書き込むようにしてもよい。あるいは、上記各操作手段からの指示値（操作量）をその検出値に基づいて補正したり、逆に検出値を指示値に基づいて補正したりしたものを書き込むようにしてもよい。これらの場合、さらに各作業ごとの最適動作条件をより精密に実現可能となるため、さらに利便性が向上する。
【０１８８】
なお、以上においては、フィーダ３及び破砕装置２の動作速度を可変とするのに、電磁比例弁であるフィーダ用コントロールバルブ２９及び破砕装置用コントロールバルブ２６の開度を制御しフィーダ用油圧モータ１０及び破砕装置用油圧モータ９の駆動速度を制御したが、これに限られない。すなわち、電磁比例弁であるフィーダ用コントロールバルブ２９及び破砕装置用コントロールバルブ２６を単なる圧油の供給／遮断のみを切換可能な電磁切換弁とし、フィーダ用油圧モータ１０及び破砕装置用油圧モータ９を容量可変形の油圧モータとしてその斜板の傾転角を制御する（例えばその傾転角を駆動するパイロット圧を、パイロットポンプ２５の吐出管路７９に接続したパイロット配管に配置した電磁比例減圧弁により生成するようにする）ことにより、それら油圧モータ１０，９の駆動速度を制御するようにしてもよい。この場合も、同様の効果を得る。
【０１８９】
また、以上においては、フィーダ３として、油圧モータの駆動力を用いて、被破砕物を載置する複数枚の鋸歯状プレート３ａを含む底板部を加振するグリズリフィーダを備えた自走式破砕機を例にとって説明したが、これに限られない。すなわち、他のタイプのフィーダ、例えば、ホッパから投入された被破砕物をホッパ下方に設けた略平板形状の底板に載置し、この底板を油圧モータで発生した駆動力に基づきベース駆動機構によって略水平方向に往復運動させることにより、後続の被破砕物の投入によって先行の被破砕物を底板上で順次押し出し、底板の前端から被破砕物を破砕装置へと順次供給するいわゆるプレートフィーダを備えた破砕機にも適用可能である。
【０１９０】
さらに、上記本発明の一実施の形態においては、破砕装置２による破砕作業に関連する作業を行う補助機械として、フィーダ３、コンベア６、及び磁選機７を備えた自走式破砕機に適用した場合を例にとって説明したが、これに限られない。すなわち、フィーダ３、コンベア６、及び磁選機７のうち、いくつかを適宜省略した自走式破砕機、例えばフィーダ３がなくホッパ１からダクトやシュートを介し直接破砕装置２に破砕原料を供給するものや、さらにはホッパ１もなくシュート自体が受け入れ手段を構成するものや、作業事情に応じ磁選機７が省略されているものに対し適用しても良い。逆に、フィーダ３、コンベア６、及び磁選機７に加え、さらに追加の補助機械、例えば、コンベア６の路程を長くするためにコンベア６の下流側（又は上流側）に位置する補助コンベア（２次コンベア、３次コンベア、サブコンベア等）や、破砕物の粒度に応じさらなる選別を行うために破砕装置２の下流側に位置する振動スクリーンを設けた自走式破砕機に適用しても良い。なお、補助機械を追加する場合、これに対応するコントロールバルブを第２弁グループ２３に設け、第２油圧ポンプ２０からの圧油を供給されるようにすることは言うまでもない。これらの場合も、同様の効果を得る。
【０１９１】
また、以上においては、破砕装置２として動歯と固定歯とで破砕を行うジョークラッシャを備えた自走式破砕機を例にとって説明したが、これに限られず、他の破砕装置、例えば、ロール状の回転体に破砕用の刃を取り付けたものを一対としてそれら一対を互いに逆方向へ回転させ、それら回転体の間に岩石・建設廃材等を挟み込んで破砕を行う回転式破砕装置（いわゆるロールクラッシャを含む６軸破砕機等）や、平行に配置された軸にカッタを備え、互いに逆回転させることにより岩石・建設廃材等をせん断する破砕装置（いわゆるシュレッダを含む２軸せん断機等）や、複数個の刃物を備えた打撃板を高速回転させ、この打撃板からの打撃及び反発板との衝突を用いて岩石・建設廃材等を衝撃的に破砕する破砕装置（いわゆるインパクトクラッシャ）や、木材、枝木材、建設廃木等の木材をカッタを備えたロータに投入することにより細片にする木材破砕機にも適用可能である。これらの場合には、フィーダ３を適宜省略しても良い。
【０１９２】
以下、それらのうちの一例として、上記本発明の一実施の形態を自走式木材破砕機に適用した場合を例にとって説明する。
【０１９３】
図１６は、この自走式木材破砕機の全体構造を表す側面図である。図１等に示した上記本発明の自走式破砕機の一実施の形態と同等の部分には、同一の符号を付し、適宜説明を省略する。
【０１９４】
この図１６において、３０１はホッパ、３０２はホッパ３０１内に設けられホッパ３０１で受け入れた被破砕木材を搬送する送りコンベアである。
【０１９５】
送りコンベア３０２は、前記ホッパ３０１の下部に略水平方向に延設されており、破砕装置３０３（後述）側端部に設けた送りローラ（駆動ローラ）３０４と、その反対側に設けた従動ローラ３０５と、これら送りローラ３０４及び従動ローラ３０５の間に巻回して設けたコンベアベルト３０６とを備えている。そして、送りコンベア用油圧モータ（図示せず）の駆動力を図示しない伝達機構を介し前記送りローラ３０４に伝達しコンベアベルト３０６を駆動することより、前記ホッパ３０１に投入され前記コンベアベルト３０６上に載置された被破砕木材を略水平方向（図１６中右方向）に搬送するようになっている。
【０１９６】
３０７は、前記送りコンベア３０２で略水平方向から導入された被破砕木材を送りコンベア３０２と協動して押圧把持しながら破砕装置３０３へと導入する押えコンベアである。この押えコンベア３０７は、上記の送りコンベア３０２と同様、押えローラ３０８ａと、従動ローラ３０８ｂと、これら押えローラ３０８ａ及び従動ローラ３０８ｂの間に巻回して設けられたコンベアベルト３０９とを備えている。そして、押えコンベア用油圧モータ（図示せず）の駆動力を、図示しない伝達機構を介し前記押えローラ３０８ａに伝達し前記コンベアベルト３０９を駆動することにより、前記送りコンベア３０２によって前方側（図１６中左側）から略水平方向に導入された被破砕木材を押えつつ、送りコンベア３０２と協動して被破砕木材を後方側（図１６中右側）へと導出し、破砕装置３０３へと導入するようになっている。
【０１９７】
３０３は既に述べた破砕装置であり公知の構造のいわゆるインパクトクラッシャにより構成され、刃物としての図示しない多数の破砕ビット（打撃板でもよい）及びそれら破砕ビットを固定する固定具（図示せず）を外周部に取り付けた破砕ロータ３１０を備えている。そして、破砕装置用油圧モータ（図示せず）により破砕ロータ３１０を高速回転させることにより、破砕ビットからの打撃と、破砕ロータ３１０の外周側に固定された図示しない反発板（アンビル）との衝突とにより打撃力を加え、送りコンベア３０２より供給された被破砕木材を所定の大きさに破砕して下方へ排出し、前記搬出コンベア６上に導入するようになっている。
【０１９８】
３１１は前記押えコンベア３０７を揺動可能に支持する支持部材であり、この支持部材３１１は押えコンベア昇降用油圧シリンダ３１２の伸縮によって昇降可能となっている。
【０１９９】
なお３１３は破砕ロータ３１０の外周側に設けた篩い部材（グレート）である。この篩い部材３１３は、例えば略部分円筒面形状を備え、破砕物の粒度を設定するための多数の開口部が形成されており、作業内容に応じて適宜交換可能となっている。
【０２００】
ここで、上記送りコンベア３０２、押えコンベア３０７、破砕装置３０３、搬出コンベア６、及び磁選機７は、前記走行体５とともに、この自走式木材破砕機に備えられる油圧駆動装置によって駆動される被駆動部材を構成している。
【０２０１】
この油圧駆動装置は、例えば前述の図３を用いて説明した上記本発明の自走式破砕機の一実施の形態の油圧駆動装置とほぼ同様の構成とすることができる。すなわち、図３等に示す左・右走行用油圧モータ１６、搬出コンベア用油圧モータ１１、磁選機用油圧モータ１３のほかに、破砕装置用油圧モータ９を上記自走式木材破砕機の破砕装置用油圧モータに、フィーダ用油圧モータ１０を前記送りコンベア用油圧モータに置き換え、かつ、それらに対応して破砕装置用コントロールバルブ２６を上記自走式木材破砕機の破砕装置用油圧モータへの圧油を制御する破砕装置用コントロールバルブに、フィーダ用コントロールバルブ２９を前記送りコンベア用油圧モータへの圧油を制御する送りコンベア用コントロールバルブに置き換える。そしてさらに、図１において分流弁５０に対し、上記送りコンベア用コントロールバルブ（フィーダ用コントロールバルブ２９を置き換え）、搬出コンベア用コントロールバルブ３０、磁選機用コントロールバルブ３１以外に、それらと同様の構造の押えコンベア用コントロールバルブ及び昇降用コントロールバルブを設け、これらコントロールバルブによって押えコンベア３０７の前記駆動ローラ３０８ａを駆動する押えコンベア用油圧モータ及び押えコンベア昇降用油圧シリンダへの圧油をそれぞれ制御すれば足りる。
【０２０２】
このとき、上記各油圧アクチュエータの特性に合わせて分流弁５０の圧油分配特性が適宜定められ、例えば、送りコンベア用コンベア用油圧モータ、押えコンベア用油圧モータ、押えコンベア昇降用油圧シリンダ、搬出コンベア用油圧モータ、磁選機用油圧モータの負荷圧力の如何にかかわらず、常に（送りコンベア用油圧モータ側への導入圧油量）：（押えコンベア用油圧モータ側への導入圧油量）：（押えコンベア昇降用油圧シリンダ）：（搬出コンベア用油圧モータ１１側への導入圧油量）：（磁選機用油圧モータ１３側への導入圧油量）が所定の割合（例えば２：２：１：２：１）となるように、第２油圧ポンプ２０からの圧油を分配供給するようになっている。
【０２０３】
なおこのとき、上記各種コントロールバルブを内蔵する制御弁装置等は、エンジン２１、第１及び第２油圧ポンプ１９，２０等とともに、前記パワーユニット２４内に収納配置される。
【０２０４】
以上のような自走式木材破砕機においても、前述した本発明の自走式破砕機の一実施の形態と同様に、破砕装置３０３、送りコンベア３０２、押えコンベア３０７の動作速度、及びエンジン２１の回転数を、操作盤３６の動作モード選択ダイヤル３６ｎで選択したモードに対応し予めコントローラ４５内に設定記憶されている値に決定することにより、同様の作用効果を得られる。
【０２０５】
図１７は、この自走式木材破砕機において、上述した動作モード選択ダイヤル３６ｎによる選択の結果実現される各動作モードについて、予め設定されている送りコンベア３０２、押えコンベア３０７、破砕装置３０３、エンジン回転数の設定例を表したものである。なお、各動作モードにおいて、そのときに使用することが好ましい前記篩い部材３１３の開口部の大きさ（目開き寸法）も併せて示している。
【０２０６】
この図１７において、動作モードは、この例では、木材破砕物製品（生産物）の種類や作業目的に対応して予め典型的な作業パターンをいくつか設定し、各作業パターンに対し最適な運転条件（送りコンベア３０２及び押えコンベア３０７の動作速度、破砕装置３０３の破砕ロータ３１０の回転速度（回転数）、エンジン２１の回転数）を組合せて予めコントローラ４５内に設定記憶してあるものである（但し適宜外部入力により修正、あるいは新規追加設定等が可能なようにしてもよい）。この例では、「合板」「コンポスト」「粗破砕」「エコノミー」の４モードが設定されている。
【０２０７】
図１７において、「合板」モードでは、送りコンベア３０２及び押えコンベア３０７の速度は中程度（例えば搬送速度６ｍ／min程度）、破砕ロータ３１０の回転速度は中程度（例えば１０００ｒｐｍ程度、以下同様）、エンジン２１の回転数は比較的大きく（例えば２１００ｒｐｍ程度、以下同様）設定される。
【０２０８】
また「コンポスト」モードでは、送りコンベア３０２及び押えコンベア３０７の速度は比較的小さく（例えば搬送速度３ｍ／min程度、以下同様）、破砕装置ロータ３１０の回転速度は比較的小さく（例えば７００ｒｐｍ程度）、エンジン２１の回転数は比較的大きく設定される。
【０２０９】
また「粗破砕」モードでは、送りコンベア３０２及び押えコンベア３０７の速度は比較的大きく（例えば１０ｍ／min程度）、破砕ロータ３１０の回転速度は比較的大きく（例えば１３００ｒｐｍ程度、以下同様）、エンジン２１の回転数は比較的大きく設定される。
【０２１０】
また「エコノミー」モードでは、送りコンベア３０２及び押えコンベア３０７の速度は比較的小さく、破砕装置ロータ３１０の回転速度は比較的大きく、エンジン２１の回転数は中程度（例えば１８００ｒｐｍ程度）に設定される。
【０２１１】
以上のように構成した上記自走式木材破砕機においても、前述の本発明の自走式破砕機の一実施の形態と同様の効果を得る。
【０２１２】
すなわち、例えば通常の運転条件範囲内で使用する限りにおいては、モード運転において、操作者がこれから行おうとする破砕作業内容に最も近い適宜の動作モードを選択するだけで、各機器（この例では送りコンベア３０２、押えコンベア３０７、破砕装置３０３、エンジン２１）の最適動作条件を極めて容易に再現することができる。したがって、最適動作条件再現のために長時間を要していた従来構造と異なり、稼働率を大幅に向上することができる。
【０２１３】
なお、上記自走式木材破砕機においても、モード選択によって実現される各機器（この例では送りコンベア３０２、押えコンベア３０７、破砕装置３０３、エンジン２１）の動作条件をそのまま用いて運転するのに限らず、モード選択による動作条件に対しさらに操作盤３６からの適宜の手動操作によって修正・微修正して運転できるようにしてもよい。
【０２１４】
また、前述したモード設定の対象機器として、送りコンベア３０２、押えコンベア３０７、破砕装置３０３、エンジン２１に限られず、その他の機器、例えば搬出コンベア６、磁選機７、走行体５等も対象としてもよい。また押えコンベア昇降用油圧シリンダ３１２の伸縮による押えコンベア３０７の昇降動作の態様や、送りコンベア３０２及び押えコンベア３０７の逆転機能が備えられている場合にはその逆転の有無や逆転速度等をも対象としてもよい。
【０２１５】
さらに、モード設定を木材破砕物製品（生産物）の種類や作業目的に対応させて設定したが、これに限られない。例えば、被破砕木材の大きさ（粒度）、硬さ、異物混入の有無等や、あるいは、木材破砕物製品の大きさ（粒度）、生産量等の組合せに対応させて動作モードを設定してもよい。
【０２１６】
【発明の効果】
本発明によれば、例えば通常の運転条件範囲内で使用する限りにおいては、対象とする被破砕物の種類、粒度、目標生産量のうちの少なくとも１つに応じ、操作者がこれから行おうとする破砕作業内容に最も近い適宜の運転条件を複数の選択肢の中から選択手段で選択するだけで、各機器の最適動作条件を極めて容易に再現することができる。したがって、最適動作条件再現のために長時間を要していた従来構造と異なり、稼働率を大幅に向上することができる。
【図面の簡単な説明】
【図１】本発明の自走式破砕機の一実施の形態の自走式破砕機の全体構造を表す側面図である。
【図２】本発明の自走式破砕機の一実施の形態の自走式破砕機の全体構造を表す上面図である。
【図３】本発明の自走式破砕機の一実施の形態を構成する油圧駆動装置を表す油圧回路図である。
【図４】本発明の自走式破砕機の一実施の形態で実現する各動作モードについて設定されている破砕装置、フィーダ、エンジン回転数の設定例を表した図である。
【図５】本発明の自走式破砕機の他の実施の形態を構成する油圧駆動装置を表す油圧回路図である。
【図６】本発明の自走式破砕機の他の実施の形態を構成するコントローラの構成を表す機能ブロック図である。
【図７】本発明の自走式破砕機の他の実施の形態を構成するコントローラの制御機能のうち、本実施の形態の要部である、各機器への各種制御信号出力に係わる機能の詳細手順を表すフローチャートである。
【図８】本発明の自走式破砕機の他の実施の形態において、各機器の動作状態を表す状態量を外部記憶手段に記憶させるようにした変形例を構成するコントローラの構成を表す機能ブロック図である。
【図９】本発明の自走式破砕機の他の実施の形態において、各機器の動作状態を表す状態量を外部記憶手段に記憶させるようにした変形例を構成するコントローラの制御機能のうち、各機器への各種制御信号出力に係わる機能の詳細手順を表すフローチャートである。
【図１０】本発明の自走式破砕機のさらに他の実施の形態を用いた破砕システムの全体概要図である。
【図１１】本発明の自走式破砕機のさらに他の実施の形態を構成する機体側コントローラの詳細構成を表す機能ブロック図である。
【図１２】本発明の自走式破砕機のさらに他の実施の形態を用いた破砕システムに備えられるサーバの詳細構成を表す機能ブロック図である。
【図１３】本発明の自走式破砕機のさらに他の実施の形態を構成する機体側コントローラの制御機能の要部詳細手順を表すフローチャートである。
【図１４】本発明の自走式破砕機のさらに他の実施の形態を用いた破砕システムに備えられる表示手段に表示される登録指示用の画面の一例を示す図である。
【図１５】本発明の自走式破砕機のさらに他の実施の形態を用いた破砕システムに備えられる表示手段に表示される登録指示用の画面の一例を示す図である。
【図１６】本発明を自走式木材破砕機に適用した実施の形態の全体構造を表す側面図である。
【図１７】本発明を自走式木材破砕機に適用した実施の形態で実現する各動作モードについて設定されている送りコンベア、押えコンベア、破砕装置、エンジン回転数の設定例を表した図である。
【符号の説明】
２              破砕装置（機器）
３              フィーダ（機器）
８              本体フレーム（フレーム）
１４            無限軌道履帯（走行手段）
２１            エンジン（機器）
３６            操作盤
３６ｄ          破砕装置速度ダイヤル（指示入力手段）
３６ｇ          フィーダ速度設定ダイヤル（指示入力手段）
３６ｎ          動作モード選択ダイヤル（選択手段）
３６ｐ          書き込み指示ボタン（書き込み指示手段）
３６ｑ          読み出し指示ボタン（読み出し指示手段）
４５            コントローラ（設定記憶手段、第１の制御手段）
４５′          コントローラ（第２の制御手段、第１データ書き込み手段、データ読み出し処理手段）
４５″          コントローラ（第２の制御手段、第２データ書き込み手段、データ読み出し処理手段）
４５″′        機体側コントローラ（データ送信処理手段、データ受信処理手段、第３の制御手段）
６０            スロットル装置（指示入力手段）
６１            外部記録装置（データ読み出し処理手段）
１０３          サーバ（外部端末）
１０５          表示手段
１０８          画面
１０８Ｊ        登録ボタン（送信指示手段）
１０９          画面
１０９Ｋ        読み出し受信指示ボタン（受信指示手段）
【図１】
0003817167.tif 000002
【図２】
0003817167.tif 000003
【図３】
0003817167.tif 000004
【図４】
0003817167.tif 000005
【図５】
0003817167.tif 000006
【図６】
0003817167.tif 000007
【図７】
0003817167.tif 000008
【図８】
0003817167.tif 000009
【図９】
0003817167.tif 000010
【図１０】
0003817167.tif 000011
【図１１】
0003817167.tif 000012
【図１２】
0003817167.tif 000013
【図１３】
0003817167.tif 000014
【図１４】
0003817167.tif 000015
【図１５】
0003817167.tif 000016
【図１６】
0003817167.tif 000017
【図１７】
0003817167.tif 000018